(57)【要約】【課題】紙媒体と電子ペーパーの双方を読取ることのできる画像読取装置、画像形成装置、電子ペーパーおよびプログラムを提供する。【解決手段】複写機２１は、電子ペーパーと紙媒体のいずれか又は双方を原稿として読取位置８０へ搬送するＡＤＦ２３と、原稿に端子を接触させて電流を流し、通電するか否かに基づいて媒体種別を判別する電子媒体検出部８０２と、読取位置８０で紙媒体に形成された画像又は電子ペーパーに切替え表示された画像を光学的に読取る画像読取装置８１と、を備え、ＡＤＦ２３のコントローラを、電子媒体検出部８０２の判別に基づいてＡＤＦ２３の搬送を制御する搬送制御手段、および画像読取装置８１の読取りを制御する読取制御手段として機能させる。【選択図】図２
2008141590.tif 000002
【特許請求の範囲】
【請求項１】
頁ごとに区切られた電子データを記憶する電子データ記憶手段、前記電子データを頁ごとの画像に変換して切替え表示する画像表示手段および外部に露出した導電部材を有する電子ペーパーと紙媒体のいずれか又は双方を原稿として読取位置へ搬送する搬送手段と、
前記原稿が通電するか否かに基づいて前記原稿が前記電子ペーパーであるか前記紙媒体であるかを判別する判別手段と、
前記判別手段の判別に基づいて前記搬送手段の搬送を制御する搬送制御手段と、
前記読取位置で前記紙媒体に形成された画像又は前記電子ペーパーに切替え表示された画像を光学的に読取る光学読取手段と、
前記光学読取手段の読取りを制御する読取制御手段と、
を備えたことを特徴とする画像読取装置。
【請求項２】
前記電子データ記憶手段に複数頁分の電子データが記憶されている場合、前記画像表示手段に表示される画像を切替える頁切替え手段を備え、
前記読取制御手段は、前記頁切替え手段によって切替えられた頁ごとの画像を前記光学読取手段に読取らせることを特徴とする請求項１に記載の画像読取装置。
【請求項３】
前記原稿を載置するための原稿載置台から前記読取位置へ通じる第１の反転給紙通路と、前記読取位置から前記原稿の搬送方向後端を挟持する挟持手段へ通じる退避通路と、前記挟持手段から前記読取位置へ通じる第２の反転給紙通路と、を有し、
前記搬送制御手段は、前記原稿載置台に載置された前記電子ペーパーを第１の反転給紙通路を通して前記読取位置へ反転搬送し、第１頁読取り後の前記電子ペーパーを前記退避通路および第２の反転給紙通路を通して前記読取位置へ反転搬送し、再び、前記退避通路および第２の反転給紙通路を通して前記読取位置へ反転搬送するよう、前記搬送手段を制御し、
前記頁切替え手段は、前記読取位置の搬送方向上流で、第３回の反転搬送時に前記電子ペーパーの頁ごとの画像を切替え、
前記読取制御手段は、前記電子ペーパーの第１回および第３回の反転搬送時に前記読取位置で前記画像を読取るよう、前記光学読取り手段を制御することを特徴とする請求項２に記載の画像読取装置。
【請求項４】
前記原稿を載置するための原稿載置台から前記読取位置へ通じる反転給紙通路と、前記読取位置から前記原稿を排紙するための原稿排紙台へ通じる排紙通路と、前記読取位置から前記原稿の搬送方向上流の原稿退避台へ通じる退避台通路と、を有し、
前記搬送制御手段は、前記原稿載置台に載置された前記電子ペーパーを前記反転給紙通路を通して前記読取位置へ反転搬送し、第１頁読取り後の前記電子ペーパーを前記排紙通路を通して前記原稿排紙台近傍へ搬送し、前記原稿排紙台近傍から前記排紙通路を通して前記読取位置へ逆搬送し、第２頁読取り後の前記電子ペーパーを前記原稿退避台へ前記退避台通路を通して搬送し、前記原稿退避台から前記退避台通路を通して前記読取位置へ逆搬送するよう、前記搬送手段を制御し、
前記頁切替え手段は、前記読取位置の搬送方向上流および前記原稿排紙台近傍で前記電子ペーパーの頁ごとの画像を切替え、
前記読取制御手段は、前記読取位置で前記電子ペーパーの所定頁までの画像を読取るよう、前記光学読取り手段を制御することを特徴とする請求項２に記載の画像読取装置。
【請求項５】
前記電子ペーパーを載置するためのコンタクトガラスの下方で、前記光学読取手段を往復移動する移動手段を備え、
前記頁切替え手段は、前記コンタクトガラスの近傍で前記光学読取手段の往復移動ごとに前記コンタクトガラスの上面に載置された前記電子ペーパーの頁ごとの画像を切替え、
前記読取制御手段は、前記電子ペーパーの所定頁までの画像を往復移動しながら読取るよう、前記光学読取り手段を制御することを特徴とする請求項２に記載の画像読取装置。
【請求項６】
前記画像表示手段は、前記画像の頁数を表示し、前記読取制御手段は、前記頁数の表示に基づいて前記電子データ記憶手段に複数頁分の電子データが記憶されているか否かを判別することを特徴とする請求項２から請求項５のいずれか１項に記載の画像読取装置。
【請求項７】
前記読取位置に対して搬送方向上流の搬送路近傍に前記判別手段を配置したことを特徴とする請求項１から請求項６のいずれか１項に記載の画像読取装置。
【請求項８】
前記読取制御手段は、前記画像表示手段に所定の画像が表示されたか否かに基づいて前記電子ペーパーの読取り終了を判別することを特徴とする請求項２から請求項７のいずれか１項に記載の画像読取装置。
【請求項９】
前記電子ペーパーには、前記導電部材を介して前記頁切替え手段と通信する第１の通信手段を設け、前記頁切替え手段には、前記導電部材と接触して前記電子ペーパーと通信する第２の通信手段を設け、
第１の通信手段から送信されて第２の通信手段により受信された、前記画像の頁数を含む頁情報の信号に基づいて、前記読取制御手段は、前記電子データ記憶手段に複数頁分の電子データが記憶されているか否かおよび前記画像が最終頁であるか否かを判別することを特徴とする請求項２から請求項７のいずれか１項に記載の画像読取装置。
【請求項１０】
請求項１から請求項９のいずれか１項に記載の画像読取装置を有する画像読取手段と、
前記画像読取手段により読取られた画像に基づいて所定の用紙に前記画像を形成する画像形成手段と、
を備えたことを特徴する画像形成装置。
【請求項１１】
コンピュータに、
判別手段が、頁ごとに区切られた電子データを画像に変換して切替え表示する画像表示手段、前記電子データを記憶する電子データ記憶手段および外部に露出した導電部材を有する電子ペーパー又は紙媒体の原稿に対して電流を流し、前記原稿が通電するか否かに基づいて前記原稿が前記電子ペーパーであるか前記紙媒体であるかを判別するように制御する判別制御機能と、
前記判別手段の判別に基づいて、搬送手段が前記原稿を読取位置へ搬送するように制御する搬送制御機能と、
前記判別手段の判別に基づいて、前記読取位置で、光学読取手段が前記紙媒体又は前記電子ペーパーの画像を光学的に読取るように制御する読取制御機能と、
を実現させるためのプログラム。
【請求項１２】
前記電子データ記憶手段に複数頁分の電子データが記憶されている場合、前記コンピュータに、
頁切替え手段が、前記画像表示手段に表示される画像を切替えるように制御する頁切替え制御機能と、
前記光学読取手段が、前記読取位置で、前記頁切替え手段によって切替えられた頁ごとの画像を光学的に読取るように制御する読取制御機能と、
を実現させるための請求項１１に記載のプログラム。
【請求項１３】
頁ごとに区切られた電子データを記憶する電子データ記憶手段と、前記電子データを頁ごとの画像に変換して切替え表示する画像表示手段と、外部に露出した導電部材と、前記導電部材を介して外部と通信する外部通信手段と、を備え、
外部からの信号に応じて頁数を含む前記頁ごとの画像を切替え表示することを特徴とする電子ペーパー。
【請求項１４】
前記外部からの信号に応じて最終頁が表示済みであることを示す所定の画像を表示することを特徴とする請求項１３に記載の電子ペーパー。
【請求項１５】
前記外部からの信号に応じて前記頁数の情報の信号を送信することを特徴とする請求項１３に記載の電子ペーパー。
【請求項１６】
前記外部からの信号に応じて切替え表示した画像が第１頁であることを示す信号を送信することを特徴とする請求項１５に記載の電子ペーパー。
【請求項１７】
前記外部からの信号に応じて切替え表示した画像が最終頁であることを示す信号を送信することを特徴とする請求項１５に記載の電子ペーパー。
【発明の詳細な説明】
【技術分野】
【０００１】
本発明は、電子ペーパーおよび紙媒体を読取る機能を有する画像読取装置、画像形成装置、電子ペーパーおよびプログラムに関するものである。
【背景技術】
【０００２】
従来、生産性、省スペースなどの理由から、スキャナ部分を固定し、原稿を所定の速度で搬送することにより画像を取得する、シートスルー方式に対応可能な画像読取装置が普及している。この種の画像読取装置は、原稿載置台に積載された複数のシート状の紙媒体（薄紙、厚紙等）の種類あるいは読取倍率に応じて搬送速度を設定し、複数枚の原稿を効率的に読取るようにしている（例えば、特許文献１参照）。
【０００３】
一方、紙媒体と電子ディスプレイの長所を併せ持つ電子媒体（以下「電子ペーパー」ともいう）が開発されている。この種の電子ペーパーは、例えば、電気泳動現象を利用したディスプレイを採用している（例えば、特許文献２参照）。このディスプレイは、透明な液体が満たされたマイクロカプセル中に正負に帯電した白い粒子（例えば、酸化チタン）と黒い粒子（例えば、カーボンブラック）とを入れ、これを透明な基材面にコーティングし、外部電圧の印加によってそれぞれの粒子を表示面に引き上げて画像を形成するものである。また、この種の電子ペーパーは、ＵＳＢ（Universal Serial Bus）を介してパーソナルコンピュータと接続可能であって、前記パーソナルコンピュータが前記ディスプレイに表示する電子データを更新し、あるいは前記ディスプレイのメモリに蓄積された電子データを読み出すようにしている。さらに、前記ディスプレイをポリマー・フィルムで形成することも従来から研究されている。
【特許文献１】特開２０００−１５１９２５号公報
【特許文献２】特開２００６−２１９１６４号公報
【発明の開示】
【発明が解決しようとする課題】
【０００４】
しかしながら、従来の画像読取装置においては、紙媒体と電子ペーパーの双方を読取ることについては配慮がなされておらず、さらに改善の余地がある。
【０００５】
本発明は、従来の問題を解決するためになされたもので、紙媒体と電子ペーパーの双方を読取ることのできる画像読取装置、画像形成装置、電子ペーパーおよびプログラムを提供することを目的とする。
【課題を解決するための手段】
【０００６】
請求項１に記載の画像読取装置は、頁ごとに区切られた電子データを記憶する電子データ記憶手段、前記電子データを頁ごとの画像に変換して切替え表示する画像表示手段および外部に露出した導電部材を有する電子ペーパーと紙媒体のいずれか又は双方を原稿として読取位置へ搬送する搬送手段と、前記原稿が通電するか否かに基づいて前記原稿が前記電子ペーパーであるか前記紙媒体であるかを判別する判別手段と、前記判別手段の判別に基づいて前記搬送手段の搬送を制御する搬送制御手段と、前記読取位置で前記紙媒体に形成された画像又は前記電子ペーパーに切替え表示された画像を光学的に読取る光学読取手段と、前記光学読取手段の読取りを制御する読取制御手段と、を備えた構成を有している。
【０００７】
ここで、電子ペーパーは、電子データを頁ごとに管理し、頁ごとの電子データを画像に変換して表示するように構成されている。また、紙媒体および電子ペーパーに表示された画像には、文字（テキスト）、図形、写真等が含まれる。電子データには、文字（テキスト）、図形、写真等の電子データが含まれる。
【０００８】
また、請求項２に記載の画像読取装置は、請求項１において、前記電子データ記憶手段に複数頁分の電子データが記憶されている場合、前記画像表示手段に表示される画像を切替える頁切替え手段を備え、前記読取制御手段は、前記頁切替え手段によって切替えられた頁ごとの画像を前記光学読取手段に読取らせる構成を有している。
【０００９】
また、請求項３に記載の画像読取装置は、請求項２において、前記原稿を載置するための原稿載置台から前記読取位置へ通じる第１の反転給紙通路と、前記読取位置から前記原稿の搬送方向後端を挟持する挟持手段へ通じる退避通路と、前記挟持手段から前記読取位置へ通じる第２の反転給紙通路と、を有し、前記搬送制御手段は、前記原稿載置台に載置された前記電子ペーパーを第１の反転給紙通路を通して前記読取位置へ反転搬送し、第１頁読取り後の前記電子ペーパーを前記退避通路および第２の反転給紙通路を通して前記読取位置へ反転搬送し、再び、前記退避通路および第２の反転給紙通路を通して前記読取位置へ反転搬送するよう、前記搬送手段を制御し、前記頁切替え手段は、前記読取位置の搬送方向上流で、第３回の反転搬送時に前記電子ペーパーの頁ごとの画像を切替え、前記読取制御手段は、前記電子ペーパーの第１回および第３回の反転搬送時に前記読取位置で前記画像を読取るよう、前記光学読取り手段を制御する構成を有している。
【００１０】
また、請求項４に記載の画像読取装置は、請求項２において、前記原稿を載置するための原稿載置台から前記読取位置へ通じる反転給紙通路と、前記読取位置から前記原稿を排紙するための原稿排紙台へ通じる排紙通路と、前記読取位置から前記原稿の搬送方向上流の原稿退避台へ通じる退避台通路と、を有し、前記搬送制御手段は、前記原稿載置台に載置された前記電子ペーパーを前記反転給紙通路を通して前記読取位置へ反転搬送し、第１頁読取り後の前記電子ペーパーを前記排紙通路を通して前記原稿排紙台近傍へ搬送し、前記原稿排紙台近傍から前記排紙通路を通して前記読取位置へ逆搬送し、第２頁読取り後の前記電子ペーパーを前記原稿退避台へ前記退避台通路を通して搬送し、前記原稿退避台から前記退避台通路を通して前記読取位置へ逆搬送するよう、前記搬送手段を制御し、前記頁切替え手段は、前記読取位置の搬送方向上流および前記原稿排紙台近傍で前記電子ペーパーの頁ごとの画像を切替え、前記読取制御手段は、前記読取位置で前記電子ペーパーの所定頁までの画像を読取るよう、前記光学読取り手段を制御する構成を有している。
【００１１】
また、請求項５に記載の画像読取装置は、請求項２において、前記電子ペーパーを載置するためのコンタクトガラスの下方で、前記光学読取手段を往復移動する移動手段を備え、前記頁切替え手段は、前記コンタクトガラスの近傍で前記光学読取手段の往復移動ごとに前記コンタクトガラスの上面に載置された前記電子ペーパーの頁ごとの画像を切替え、前記読取制御手段は、前記電子ペーパーの所定頁までの画像を往復移動しながら読取るよう、前記光学読取り手段を制御する構成を有している。
【００１２】
また、請求項６に記載の画像読取装置は、請求項２から請求項５のいずれか１項において、前記画像表示手段は、前記画像の頁数を表示し、前記読取制御手段は、前記頁数の表示に基づいて前記電子データ記憶手段に複数頁分の電子データが記憶されているか否かを判別する構成を有している。
【００１３】
また、請求項７に記載の画像読取装置は、請求項１から請求項６のいずれか１項において、前記読取位置に対して搬送方向上流の搬送路近傍に前記判別手段を配置した構成を有している。
【００１４】
また、請求項８に記載の画像読取装置は、請求項２から請求項７のいずれか１項において、前記読取制御手段は、前記画像表示手段に所定の画像が表示されたか否かに基づいて前記電子ペーパーの読取り終了を判別する構成を有している。
【００１５】
また、請求項９に記載の画像読取装置は、請求項２から請求項７のいずれか１項において、前記電子ペーパーには、前記導電部材を介して前記頁切替え手段と通信する第１の通信手段を設け、前記頁切替え手段には、前記導電部材と接触して前記電子ペーパーと通信する第２の通信手段を設け、第１の通信手段から送信されて第２の通信手段により受信された、前記画像の頁数を含む頁情報の信号に基づいて、前記読取制御手段は、前記電子データ記憶手段に複数頁分の電子データが記憶されているか否かおよび前記画像が最終頁であるか否かを判別する構成を有している。
【００１６】
また、請求項１０に記載の画像形成装置は、請求項１から請求項９のいずれか１項に記載の画像読取装置を有する画像読取手段と、前記画像読取手段により読取られた画像に基づいて所定の用紙に前記画像を形成する画像形成手段と、を備えた構成を有している。
さらに、請求項１１に記載のプログラムは、コンピュータに、判別手段が、頁ごとに区切られた電子データを画像に変換して切替え表示する画像表示手段、前記電子データを記憶する電子データ記憶手段および外部に露出した導電部材を有する電子ペーパー又は紙媒体の原稿に対して電流を流し、前記原稿が通電するか否かに基づいて前記原稿が前記電子ペーパーであるか前記紙媒体であるかを判別するように制御する判別制御機能と、前記判別手段の判別に基づいて、搬送手段が前記原稿を読取位置へ搬送するように制御する搬送制御機能と、前記判別手段の判別に基づいて、前記読取位置で、光学読取手段が前記紙媒体又は前記電子ペーパーの画像を光学的に読取るように制御する読取制御機能と、を実現させるものである。
【００１７】
また、請求項１２に記載のプログラムは、請求項１１において、前記電子データ記憶手段に複数頁分の電子データが記憶されている場合、前記コンピュータに、頁切替え手段が、前記画像表示手段に表示される画像を切替えるように制御する頁切替え制御機能と、前記光学読取手段が、前記読取位置で、前記頁切替え手段によって切替えられた頁ごとの画像を光学的に読取るように制御する読取制御機能と、を実現させるものである。
【００１８】
また、請求項１３に記載の電子ペーパーは、頁ごとに区切られた電子データを記憶する電子データ記憶手段と、前記電子データを頁ごとの画像に変換して切替え表示する画像表示手段と、外部に露出した導電部材と、前記導電部材を介して外部と通信する外部通信手段と、を備え、外部からの信号に応じて頁数を含む前記頁ごとの画像を切替え表示する構成を有している。
【００１９】
また、請求項１４に記載の電子ペーパーは、請求項１３において、前記外部からの信号に応じて最終頁が表示済みであることを示す所定の画像を表示する構成を有している。
【００２０】
また、請求項１５に記載の電子ペーパーは、請求項１３において、前記外部からの信号に応じて前記頁数の情報の信号を送信する構成を有している。
【００２１】
また、請求項１６に記載の電子ペーパーは、請求項１５において、前記外部からの信号に応じて切替え表示した画像が第１頁であることを示す信号を送信する構成を有している。
【００２２】
また、請求項１７に記載の電子ペーパーは、請求項１５において、前記外部からの信号に応じて切替え表示した画像が最終頁であることを示す信号を送信する構成を有している。
【発明の効果】
【００２３】
本発明は、外部に露出した導電部材を有する電子ペーパーと紙媒体のいずれか又は双方を原稿として読取位置へ搬送する搬送手段と、前記原稿が通電するか否かに基づいて前記原稿が前記電子ペーパーであるか前記紙媒体であるかを判別する判別手段と、前記判別手段の判別に基づいて前記搬送手段の搬送を制御する搬送制御手段と、前記読取位置で前記紙媒体に形成された画像又は前記電子ペーパーに切替え表示された画像を光学的に読取る光学読取手段と、前記光学読取手段の読取りを制御する読取制御手段と、を設けることにより、紙媒体と電子ペーパーの双方を読取ることができるという効果を有する画像読取装置を提供することができる。
【発明を実施するための最良の形態】
【００２４】
以下、本発明の実施の一形態について、図面を用いて説明する。
［第１の実施の形態］
図１〜図２０は本発明の第１の実施の形態の画像読取装置、この画像読取装置を備えた画像形成装置、電子ペーパーおよびプログラムの一実施の形態を示す図であり、本実施の形態では、画像形成装置を複写機に適用した例を示している。
【００２５】
なお、画像形成装置としては複写機以外にファクシミリ装置、プリンタ装置、複写機能とファクシミリ機能等を備えた複合機等に適用することができる。また、画像読取装置としては、スキャナ装置、ファクシミリ装置、複写機能とファクシミリ機能等を備えた複合機等に適用することができる。
【００２６】
まず、構成を説明する。図１において、複写機２１の本体２１ａの上面には透光性部材からなるコンタクトガラス２２ａ（図２参照）が設けられており、このコンタクトガラス２２ａに隣接する本体の上面にはコンタクトガラス２２ａよりも小面積の透光性部材からなるスリットガラス２２ｂが設けられている（図２参照）。
【００２７】
また、本体２１ａの上部には自動原稿搬送装置としてのＡＤＦ２３が設けられており、このＡＤＦ２３は図示しないヒンジ機構を介してコンタクトガラス２２ａを開放および閉塞するように開閉自在になっている。
【００２８】
図２から図８に基づいてＡＤＦ２３の構成を説明する。図２はＡＤＦ２３の概略構成図である。図３、図４は電子媒体検出部８０２の概略を示す斜視図およびブロック図である。図５、図６は電子ペーパー９００の概略を示すブロック図である。図７は頁切替え部８０１の概略を示すブロック図である。図８はＡＤＦ２３の制御系の概略を示すブロック図である。
【００２９】
図２において、ＡＤＦ２３は原稿載置台としての原稿テーブル２４を備えており、この原稿ケーブル２４には原稿面が上向きになるように原稿束Ｐが載置されるようになっている。この原稿束Ｐは、紙媒体又は電子ペーパーのいずれか一方又は双方が積載されたものである。
【００３０】
原稿テーブル２４のテーブル面には原稿の長さを検出する原稿長さ検出手段としての原稿長さ検出センサ２５〜２７が設けられており、この原稿長さ検出センサ２５〜２７はそれぞれ隣接する一対の受光素子および発光素子を備えている。
【００３１】
したがって、原稿長さ検出センサ２５〜２７は少なくとも同一原稿サイズの縦か横かを判別可能なように原稿テーブル２４のテーブル面に配置されている。コントローラ１００は受光素子から入力した情報に基づいて原稿テーブル２４に載置された原稿束Ｐの搬送方向長さを判別する。
【００３２】
また、原稿テーブル２４に対して原稿の搬送方向下流側にはストッパ部材としてのストッパ爪２８が設けられており、このストッパ爪２８は呼出しモータ１０１によって原稿束Ｐの先端が突当てられる突当て位置（破線で示す位置）と原稿束Ｐの先端から退避する退避位置（実線で示す位置）の間で移動されるようになっている。
【００３３】
したがって、ストッパ爪２８が突当て位置にあるときに原稿束Ｐの先端が突当てられることにより、原稿束Ｐの先端を揃えるようになっている。また、原稿束Ｐの幅方向は原稿テーブル２４上に設けられた図示しないサイドフェンスに突当てられることにより、搬送方向と直行する方向の位置決めが行われるようになっている。
【００３４】
また、ストッパ爪２８が下方に移動すると、このストッパ爪２８はホームポジョンセンサ３４によって検出されるようになっており、ホームポジションセンサ３４は検出情報をコントローラ１００に出力する。
【００３５】
また、原稿束Ｐの先端側の原稿ケーブル２４上にはセットフィラー２９および原稿セットセンサ３０が設けられており、セットフィラー２９は原稿テーブル２４に原稿束Ｐが載置されたときに原稿束Ｐの先端に押圧されて破線で示す位置から実線で示す位置に移動し、原稿セットセンサ３０がこのセットフィラー２９を未検出の状態から検出した状態に変化すると、コントローラ１００に信号を出力する。
【００３６】
コントローラ１００はＩ／Ｆ１０７を介して複写機２１の本体２１ａに設けられた本体制御部１１１に接続されており、このＩ／Ｆ１０７に信号を出力する。本体制御部１１１はこの入力信号に基づいて本体２１ａ側で、画像読取装置８１による原稿の読取りを行うための待機状態に移行する。
【００３７】
ストッパ爪２８の上方には呼出し手段としての呼出しコロ３１が設けられており、この呼出しコロ３１は呼出しモータ１０１からの駆動力が後述する呼出しカム１２６を介して伝達されるようになっており、呼出しモータ１０１およびカム機構により実線で示す原稿束Ｐから退避する位置と二点鎖線で示す原稿束Ｐの上面に当接する位置との間で昇降するようになっている。
【００３８】
呼出しコロ３１の搬送方向上流の搬送路近傍には、電子媒体検出部８０２が設けられている。図３に示すように、電子媒体検出部８０２は、呼出しコロ３１によって呼出される原稿に接触するための端子８０２ａ、８０２ｂと、この端子に電流を流すための電池と、端子間に電流が流れたことを検知するための電流検出回路８０２ｃと、を有する構成である。そして図４に示すように、原稿テーブル２４に載置された原稿束Ｐの最上面にその端子８０２ａ、８０２ｂが接触するように、不図示の支持部材によって支持されている。電流検出回路８０２ｃの検出結果はコントローラ１００に送られるようになっている。この検出結果に基づいて、コントローラ１００は原稿が電子ペーパー９００であるか、紙媒体であるかを判別することができる。すなわち、後述する電子ペーパー９００の周縁に設けられた金属製部材（後述する接触部９０７に相当する）と端子８０２ａ、８０２ｂが接触して通電が検出された場合は原稿Ｐが電子ペーパーであると判別し、接触して通電しなかった場合は原稿Ｐが紙媒体であると判別することができる。
【００３９】
一方、図５に示すように、電子ペーパー９００の片面には、電子ペーパー表示器９０４の表示面が形成され、この表示面の表示領域９０８には頁情報（例えば、当該頁番号／最終頁番号（総頁数に相当する））が表示されるようになっている。なお、電子ペーパー表示器９０４は、例えば、ポリマー・フィルムを用いた液晶ディスプレイ（ＰＦＬＣＤ）であって、任意の形状に変形することができるので、電子ペーパー９００は紙媒体と同様にＡＤＦ２３で搬送することができる。また、前記表示面の周縁には、接触部（例えば、金属箔からなるもの）９０７が形成されている。なお、電子ペーパー９００には、頁切替え（表示頁の更新）を指示するための頁ボタン（不図示）が設けられ、この操作に応じて頁ごとに画像表示が更新されるようになっている。
【００４０】
より具体的には、図６に示すように、電子ペーパー９００は、ＩＣチップ９０２に接続された接触部９０７と、入出力端子付きのＩＣチップ９０２と、書替可能な不揮発性の記憶素子（例えば、ＥＥＰＲＯＭ）からなる電子ペーパー記憶素子９０３と、例えば、マイクロカプセル電気泳動方式の電子ペーパー表示器９０４と、ＩＣチップ９０２に記憶された情報（電子データ）を表示用に変換する電子ペーパードライバ９０５と、太陽電池やボタン電池等の電源９０６と、を有する。さらに、ＩＣチップ９０２には、例えば、各種情報（例えば、頁ごとに区切られた画像情報としての電子データ、頁ごとの画像の頁数を含む頁情報としての頁データ）を記憶するＩＣチップ記憶素子（不図示）と、このＩＣチップ記憶素子等に接続され、接触部９０７を介して信号を送受信するための通信制御回路（不図示）と、を有する。ここで、接触部９０７を電子ペーパーの周縁（例えば、３辺）に設けたのは、電子ペーパーのセット向きに関らず、搬送方向の先端側となるようにするためである。なお、電子ペーパー表示器９０４は、頁ごとの画像を切替え表示し、前記画像には、文字（テキスト）、図形、写真等が含まれる。
【００４１】
また、ＩＣチップ９０２の通信制御回路は、後述する頁切替え部８０１からの信号に応じ、ＩＣチップ記憶素子に記憶された頁情報に基づいて電子ペーパードライバ９０５に頁切替えを指令し、頁切替え後の表示頁が第１頁である場合、および頁切替え後の表示頁が最終頁である場合には、接触部９０７を通して頁切替え部８０１に対し、所定の信号（例えば、第１頁であることを示す信号、最終頁であることを示す信号）を送信するように制御する。
【００４２】
また、図２において、本体２１ａ側には操作部１０８が設けられており、この操作部のプリントキーが押下され、本体制御部１１１からＩ／Ｆ１０７を介してコントローラ１００に原稿給紙信号が送信されると、コントローラ１００は呼出しモータ１０１を正転駆動してストッパ爪２８を原稿束Ｐから下方向に退避するように駆動する。
【００４３】
そして、このストッパ爪２８が退避位置に移動すると、ストッパ爪２８はホームポジションセンサ３４によって検出されるようになっており、ホームポジションセンサ３４はストッパ爪２８を検出すると、コントローラ１００は呼出しモータ１０１を逆転駆動して呼出しコロ３１を原稿束Ｐに当接する位置に下降させる。
【００４４】
このとき、呼出しコロ３１は給紙モータ１０２の正転駆動によって原稿テーブル２４上の数枚（理想的には１枚）の原稿の給紙を開始する。この給紙された原稿は呼出しコロ３１の下流側に設けられた給紙ベルト３２およびリバースローラ３３からなる分離搬送手段に給紙される。また、前述の電子媒体検出部８０２は、前述のように原稿束Ｐに対して電流を流し、通電の有無によって原稿が電子ペーパーであるか否かを検出する。検出結果は媒体種別情報としてコントローラ１００に送られる。
【００４５】
給紙ベルト３２は駆動ローラ３２ａおよび従動ローラ３２ｂに橋架されており、給紙モータ１０２から駆動ローラ３２ａに駆動力が伝達されると、周回移動するようになっている。
【００４６】
給紙ベルト３２は給紙モータ１０２が正転駆動されると給紙方向（時計回転方向）に周回移動するようになっており、リバースローラ３３には図示しないトルクリミッタが内蔵され、給紙モータ１０２が正転駆動されると給紙方向と逆方向（時計回転方向）に回転駆動されるようになっている。このため、最上位の原稿とその下の原稿が分離されて最上位の原稿のみが給紙される。
【００４７】
具体的には、リバースローラ３３は給紙ベルト３２と所定圧で接しており、給紙ベルト３２と直に接触しているとき、または、原稿１枚を介して接している状態では給紙ベルト３２の回転につられて反時計回転方向に連れ回りし、原稿が２枚以上給紙ベルト３２とリバースローラ３３の間に進入したときには連れ回り力がトルクリミッタのトルクよりも低くなるように設定されている。このため、リバースローラ３３は本来の駆動方向である時計回転方向に回転し、余分な原稿を押し戻す働きをして重送を防止することができる。
【００４８】
この分離原稿は給紙ベルト３２の下流側に設けられた分離用紙検出手段としての分離センサ５１によって検出されるようになっており、分離センサ５１によって検出された原稿は給紙ベルト３２によってさらに搬送され、給紙ベルト３２の下流側に設けられた突当てセンサ３５によって原稿の先端が検出された時点から所定量Ｘｍｍ搬送されると、コントローラ１００によって給紙モータ１０２の正転駆動を停止される。
【００４９】
この所定量Ｘｍｍは、突当てセンサ３５からプルアウトローラ対（回転部材）３６のニップ部までの距離よりも大きく設定されており、互いに摺接するプルアウト駆動ローラ３６ａおよびプルアウト従動ローラ３６ｂのニップ部に一定の撓みを形成した状態で停止されるようになっている。
【００５０】
このとき、呼出しモータ１０１はコントローラ１００からの指令により正転駆動されることにより、呼出しコロ３１を原稿上面から退避させ原稿を給紙ベルト３２の搬送力のみで搬送することにより、原稿の先端はプルアウト駆動ローラ３６ａおよびプルアウト従動ローラ３６ｂのニップ部に突当てられ、分離搬送時に発生した原稿の曲がり（スキュー）を補正することができる。
【００５１】
また、プルアウト駆動ローラ３６ａおよびプルアウト従動ローラ３６ｂは、原稿の分離後に給紙モータ１０２の逆転駆動によりスキュー補正された原稿を反転通路５３を介して下流側に設けられた読取入口ローラ対３７に向かって搬送する。この読取入口ローラ対３７は読取入口駆動ローラ３７ａと読取入口従動ローラ３７ｂによって構成されている。
【００５２】
また、給紙モータ１０２の逆転駆動時には、プルアウト駆動ローラ３６ａは駆動されるが、後述するワンウェイクラッチの作用により呼出しコロ３１と給紙ベルト３２に駆動力は伝達されない。
【００５３】
また、プルアウト駆動ローラ３６ａおよびプルアウト従動ローラ３６ｂの下流側には原稿幅センサ３８が設けられており、この原稿幅センサ３８は図２中、奥行き方向に複数個並べられ、実線で示す位置と二点鎖線で示す位置との間で移動するようになっている。
【００５４】
この原稿幅センサ３８は原稿を検出すると二点鎖線で示す位置に移動するようになっており、プルアウト駆動ローラ３６ａおよびプルアウト従動ローラ３６ｂにより搬送された原稿の搬送方向に直行する幅方向の情報を取得してコントローラ１００にこの検出情報を送信する。
【００５５】
コントローラ１００は原稿長さ検出センサ２５〜２７からの原稿長さ検出情報と原稿幅センサ３８からの幅検出情報との組合せに基づいて本体制御部１１１に原稿テーブル２４上に積載された原稿束Ｐのサイズ情報を送信する。
【００５６】
また、コントローラ１００は原稿の先端後端を突当てセンサ３５で検出する間に搬送した距離に相当するモータ駆動パルス数をカウントすることにより、原稿のより正確な長さを算出する。
【００５７】
また、プルアウト駆動ローラ３６ａの駆動により読取入口ローラ対３７に原稿が搬送される際には、原稿搬送速度を高速に設定して原稿をスリットガラス２２ｂ上の読取位置８０に送り込む処理時間の短縮を図るようになっており、特に２枚目以降の原稿ではこの高速搬送により前原稿との紙間を短縮することで生産性を向上させることができる。そして、原稿の先端が読取入口センサ３９によって検出されると、読取入口ローラ対３７に原稿先端が進入する前に減速が開始される。
【００５８】
また、コントローラ１００は、原稿の先端が読取入口センサ３９によって検出されたこと、および電子媒体検出部８０２の検出に基づいて、原稿が電子ペーパー９００であると判別した場合に、読取入口センサ３９近傍に設けられた頁切替え部８０１に、電子ペーパー９００の頁切替えを指令する。
【００５９】
ここで、図７に示すように、頁切替え部８０１は、接触部８０１ａと、通信制御部８０１ｂと、頁情報記憶部８０１ｃと、を有する構成である。接触部８０１ａは、電子ペーパーの接触部９０７と接触して通電し、所定の信号を授受するためのものである。また、通信制御部８０１ｂは、前述した通信制御回路等を備え、電子ペーパー９００に対して所定の信号（例えば、電子ペーパーに対して頁切替えを指令する信号）を送信すると共に、電子ペーパー９００からの頁情報の信号（例えば、頁切替え後の頁が第１頁であることを示す信号、同じく最終頁であることを示す信号）を受信する。頁情報記憶部８０１ｃは、電子ペーパー９００から送信された頁情報の信号を復調して得た頁データを記憶する。この頁データは、コントローラ１００に送られる。コントローラ１００は、この頁データに基づいて搬送経路、搬送圧、搬送速度を含む搬送動作の設定を行う。また、本体制御部１１１は、コントローラ１００を介して前記頁データを取得し、画像読取装置８１の画像読取り動作を設定する。前述の通信制御部８０１ｂおよび頁情報記憶部８０１ｃはＩＣチップで構成しても良い。
【００６０】
また、図２において、コントローラ１００は読取入口センサ３９から読取入口ローラ対３７までの距離よりもＹｍｍだけ搬送距離が長くなるように給紙モータ１０２を駆動して停止させることにより、停止している読取入口ローラ対３７のニップ部に原稿の先端を突当てて一定の撓みを形成した状態で原稿を停止させるようになっている。この結果、プルアウトローラ対３６による原稿の搬送時に発生したスキューを補正することができる。本実施の形態では、読取入口ローラ対３７がスキュー補正用のローラ対を構成している。
【００６１】
また、コントローラ１００は、原稿が読取入口ローラ対３７のニップ部で一時停止（レジスト停止）したときに、インターフェース手段１０７を介して本体制御部１１１にレジスト停止信号を送信するようになっている。
【００６２】
レジスト停止信号が送信されると、コントローラ１００は本体制御部１１１から読取開始信号を受信するようになっており、レジスト停止していた原稿が読取倍率（原稿が紙媒体の場合）又は所要通信時間（原稿が電子ペーパーの場合）に応じた搬送速度で搬送されるように読取モータ１０３を駆動し、読取出口ローラ対４０により原稿を搬送する。また、この読取出口ローラ対４０は読取出口駆動ローラ４０ａと読取出口従動ローラ４０ｂによって構成されている。
【００６３】
ここで、原稿の先端がスリットガラス２２ｂの上流側に設けられたレジストセンサ４１に到達するよりも前に読取開始信号を受信した場合はレジスト非停止読取動作となる。レジスト非停止読取動作の場合はレジスト停止を行わずに、読取搬送速度を維持したまま読取りを行う。
【００６４】
レジストセンサ４１は原稿の先端を検出するようになっており、レジストセンサ４１によって紙媒体又は電子ペーパーの原稿の先端が検出されると、コントローラ１００は読取モータ１０３のパルスカウントを開始し、原稿先端がスリットガラス２２ｂ上の読取位置８０に到達するタイミングで、本体制御部１１１に対して副走査方向有効画像領域を示すゲート信号を送信する。このゲート信号は、通常は原稿の後端が読取位置８０を抜けるまで送信される。
【００６５】
反転通路５３を介して読取位置８０を通過した原稿は上下面が反転されて読取出口ローラ対４０および排紙ローラ４２によって搬送されるようになっており、両面原稿の読取り終了後、または、片面原稿の片面読取り終了後には原稿排紙台としての排紙トレイ４３に排紙される。
【００６６】
また、排紙ローラ４２は排紙駆動ローラ４２ａ、排紙従動上ローラ４２ｂおよび排紙従動下ローラ４２ｃを備えており、この排紙ローラ４２の下流側には切替手段としての切替爪４４が設けられている。
【００６７】
両面原稿の搬送を行う場合には、この原稿の表面の読取り時に読取位置８０を抜けた原稿先端が排紙ローラ４２に到達する前に、切替爪４４が反転ソレノイド１０５に駆動されて２点鎖線で示す位置に切替わるようになっている。
【００６８】
このとき、読取モータ１０３によって駆動される排紙駆動ローラ４２ａおよび排紙下従動ローラ４２ｃと、反転モータ１０４により駆動されるスイッチバックローラ対としての反転ローラ対４５により原稿がスイッチバック通路４６ａに搬送される。
【００６９】
コントローラ１００は読取出口ローラ対４０の下流側に設けられた読取出口センサ４７によって原稿の後端が検出されてから読取モータ１０３の駆動パルスが所定パルスに達すると、原稿の後端が排紙ローラ４２を抜け出たものと判別して、反転ソレノイド１０５をオフにして切替爪４４を実線で示す位置に移動させるようになっている。
【００７０】
また、コントローラ１００は前述したように読取モータ１０３の駆動パルスが所定パルスに達した後に、反転モータ１０４を逆転駆動して反転ローラ対４５を逆転駆動することにより、原稿をプルアウトローラ対３６に向かってスイッチバックする。
【００７１】
このとき、読取モータ１０３の駆動方向は同一方向で、反転モータ１０４の駆動方向は逆方向となり、処理時間短縮のために反転モータ１０４および読取モータ１０３を高速駆動する。
【００７２】
また、コントローラ１００は原稿がスイッチバックを始めると反転モータ１０４の駆動パルスが所定パルスになった後に、給紙モータ１０２を高速に逆転駆動して原稿をプルアウトローラ対３６に向かって高速搬送する。
【００７３】
また、再給紙通路４６ｂを搬送される原稿の後端が反転センサ４９によって検出されると、コントローラ１００は反転センサ４９からの検出情報に基づいて反転ローラ対４５の逆転駆動を停止するようになっている。
【００７４】
この後、プルアウトローラ対３６によって原稿のスキュー補正をして前述したようにして原稿の片面を読取り、再度、給紙通路４６ａでスイッチバックした後、再給紙通路４６ｂを通して読取位置８０に向かって搬送し、原稿の読取りを行わずに原稿面を備えるための反転動作を行って原稿を排紙トレイ４３に排紙する。
【００７５】
また、排紙ローラ４２の上流側には排紙センサ５０が設けられており、この排紙センサ５０は原稿の後端を検出してコントローラ１００に信号を出力するようになっており、コントローラ１００はこの検出情報に基づいて原稿が排紙されたものと判別する。
【００７６】
また、本体２１ａには表示部４８が設けられており、コントローラ１００は突当てセンサ３５、読取入口センサ３９、レジストセンサ４１、読取出口センサ４７、反転センサ４９、排紙センサ５０等からの検出情報および原稿長さ検出センサ２５〜２７からの検出情報に基づいてジャム判定を行い、ジャムが発生した場合に、表示部４８によってジャム表示を行うようになっている。
【００７７】
一方、複写機２１の本体２１ａ内には、図１に示すように画像読取装置８１が設けられており、この画像読取装置８１によって読取られた画像情報は書込部８２によって感光体  ドラム８３に照射されるようになっている。
【００７８】
画像読取装置８１は、コンタクトガラス２２ａまたはスリットガラス２２ｂ上の原稿を照明する光源８１ａと、原稿から反射された光をそれぞれ反射する第１ミラー８１ｂ、第２ミラー８１ｃ、第３ミラー８１ｄと、第３ミラー８１ｄから反射された光をＣＣＤイメージセンサ８１ｆに結像するレンズ８１ｅと、レンズ８１ｅによって結像された光を電気信号に変換するＣＣＤイメージセンサ８１ｆとを備えている。
【００７９】
光源８１ａおよび第１ミラー８１ｂは図示しない第１走行体に取付けられているとともに、第２ミラー８１ｃとおよび第３ミラー８１ｄは第２走行体に取付けられており、第１走行体および第２走行体（移動手段に相当する）はコンタクトガラス２２ａおよびスリットガラス２２ｂに沿って図１中、移動するようになっている。
【００８０】
そして、第１走行体および第２走行体は、コンタクトガラス２２ａに載置された原稿を読取るときには、コンタクトガラス２２ａの下方で図１中、左右方向に移動され、スリットガラス２２ｂを通過する原稿を読取るときには、スリットガラス２２ｂの下方で停止される。画像読取装置８１は、紙媒体および電子ペーパー９００に表示された画像（文字（テキスト）、図形、写真等を含む）を読取ることができる。なお、その画像の電子データを、本体制御部１１１に送って所定の記憶手段（不図示）に記憶させ、通信手段（不図示）を介してネットワーク上に送信するようにしてもよい。
【００８１】
書込部８２は、画像読取装置８１によって読取った画像情報に応じて光変調したレーザ光を照射し、帯電させた感光体ドラム８３の表面をこのレーザ光で露光するようになっている。
【００８２】
感光体ドラム８３の周囲には、感光体ドラム８３と共に画像形成手段を構成する現像装置８６、転写ベルト８７、クリーニング装置８８、図示しない帯電装置および除電装置が設けられている。帯電装置は暗中にプラス電荷のコロナ放電をグリッドにより制御して感光体ドラムの表面を一定電位に帯電させるようになっている。
【００８３】
書込部８２はこの一定電位に帯電された感光体ドラム８３上に画像情報を含んだレーザダイオードを照射して感光体ドラム８３上のマイナス電荷を除去して静電潜像を形成する。
【００８４】
現像装置は感光体ドラム８３上の電気除去された部分にマイナスに帯電されたトナーを付着させて可視像を形成する。転写ベルト８７にはプラスのバイアスが印加されており、この転写ベルト８７はマイナスに帯電された可視像を記録媒体としての転写紙（用紙）に転写して搬送するようになっている。
【００８５】
クリーニング装置８８はクリーニングブレードを備えており、感光体ドラム８３に残ったトナーを掻き落とすようになっている。除電装置はＬＥＤを点灯させることにより感光体ドラム８３の残留電荷を除去して次の転写紙に新たな画像を形成するための準備を行う。
【００８６】
このようにした画像が形成された転写紙は定着装置９０に搬送され、定着装置９０によりトナー画像が転写紙に定着される。 
【００８７】
また、本体２１ａ内にはそれぞれ異なるサイズの転写紙Ｓ１〜Ｓ５が収納された収納カセット９１〜９５が設けられており、この収納カセット９１〜９５に収納された転写紙は呼出しコロ９１ａ〜９５ａによって給紙された後、搬送方向に回転する給紙ローラ９１ｂ〜９５ｂおよび給紙ローラ９１ｂ〜９５ｂに摺接し、分離方向に回転するリバースローラ９１ｃ〜９５ｃによって分離された後、中継ローラ対９６、９７を介してレジストローラ対９８に搬送され、レジストローラ対９８によってタイミングを取られて感光体ドラム８３と転写ベルト８７の間の搬送路に搬送される。
【００８８】
次に、図９〜図２０フローチャートに基づいて原稿の搬送動作を説明する。なお、図９〜図２０フローチャートはコントローラ１００によって制御される搬送制御プログラムである。ここでは、原稿（紙媒体又は電子ペーパー）の片面を読取搬送する片面モードの搬送動作を示す。
【００８９】
まず、図９において、コントローラ１００は原稿長さ検出センサ２５〜２７からの検出情報に基づいて原稿テーブル２４に原稿束Ｐがセットされたか否かを判別する（ステップＳ１）。ここで、原稿束Ｐがセットされた場合、電子媒体検出部８０２の端子８０２ａ、８０２ｂが原稿束Ｐの最上面に接触するので、電子媒体検出部８０２は通電の有無を検出する。そして検出結果はコントローラ１００へ送られる。なお、電子媒体検出部８０２が呼出しコロ３１と同軸で支持され、呼出しコロ３１の移動に伴って原稿束Ｐの最上面に接触するようになっている場合は、後述のステップＳ５で原稿束Ｐの最上面に接触し、通電の有無を検出することになる。
【００９０】
次いで、操作部１０８のプリントキーが押下されると、本体制御部１１１からＩ／Ｆ１０７を介してコントローラ１００に原稿給紙信号が送信されるため、コントローラ１００は給紙モータ１０２を時計回転方向に正転駆動する（ステップＳ２）。このとき、ストッパ爪２８が原稿束Ｐの先端から退避する。
【００９１】
次いで、コントローラ１００はホームポジションセンサ３４からの検出情報に基づいてストッパ爪２８が退避対置に移動したか否かを判別し（ステップＳ３）、ストッパ爪２８が退避位置に移動した場合には、呼出しモータ１０１を逆転駆動する（ステップＳ４）。
【００９２】
次いで、コントローラ１００は呼出しコロ３１が当接位置に移動したか否かを判別し（ステップＳ５）、呼出しコロ３１が当接位置に移動したものと判別した場合には、原稿長さ検出センサ２５〜２７からの検出情報に基づいて原稿の長さを取得し（ステップＳ７）、給紙モータ１０２を時計回転方向に正転駆動する（ステップＳ８）。このため、呼出しコロ３１によって原稿束Ｐから最上位に位置する原稿が分離された後、給紙ベルト３２およびリバースローラ３３によって最上位に位置する原稿が分離される。
【００９３】
次いで、コントローラ１００は突当てセンサ３５がオンしたか否かを判別し（ステップＳ９）、突当てセンサ３５がオンしない場合には、ジャム検出時間オーバーか否かを判別する（ステップＳ１０）。コントローラ１００はジャム検出時間オーバーであるものと判別した場合には、突当て未達ジャムと判別して表示部４８にジャム表示を行う（ステップＳ１１）。
【００９４】
一方、ステップＳ１０で突当てセンサ３５がオンになったものと判別した場合には、突当て量をカウントする（ステップＳ１２）。すなわち、コントローラ１００は突当てセンサ３５とプルアウトローラ対３６の距離よりも大きく設定された所定量Ｘｍｍに相当する給紙モータ１０２の駆動パルスのカウントを開始する。
次いで、図１０に示すように、コントローラ１００は呼出しモータ１０１を反時計回転方向に逆転駆動した後（ステップＳ１３）、呼出しコロ３１が退避位置に移動したか否かを判別し（ステップＳ１４）、呼出しコロ３１が退避位置に移動した場合には、呼出しモータ１０１を停止する（ステップＳ１５）。
【００９５】
次いで、コントローラ１００は給紙モータ１０２のパルスカウントが突当て量（Ｘｍｍ）に相当する所定パルスに到達したか否かを判別し（ステップＳ１６）、パルスカウントが所定パルスに到達した場合には、図１１のステップＳ１８に進み、遅延時間がＴｄｌであるか否かを判別し、遅延時間がＴｄｌ以上であるものと判別した場合には、ステップＳ１９に進む。なお、給紙モータ１０２が所定パルスに到達した時点では、原稿が所定量の撓みを持ってプルアウトローラ対３６に押し当てられた状態になり原稿のスキューが矯正される。
【００９６】
また、本実施の形態では、後述の次原稿のプレフィードにおいて、次原稿の先端がプルアウトローラ対３６の位置から読取入口ローラ対３７のニップ部で一時停止するレジスト停止位置（読取待機位置）まで到達する所要時間(Ｔｐｏ)に対して、先行原稿の後端が読取位置８０を通過してから排紙ローラ４２を通過するまでの所要時間（Ｔｙｏ）がＴｙｏ＜（Ｔｐｏ＋Ｔｄｌ）となる遅延時間Ｔｄｌを設けることにより、次原稿のプルアウトローラ対３６の位置からの搬送を行う。
【００９７】
ステップＳ１９では、コントローラ１００は給紙モータ１０２の電流の切替えをオンにして給紙モータ１０２を高速で駆動する。給紙モータ１０２が逆転駆動されると、プルアウトローラ対３６は駆動されるが、プーリ１４０のワンウェイクラッチの作用により呼出しコロ３１と給紙ベルト３２に駆動力は伝達されないので、原稿はプルアウトローラ対３６によって搬送される。
【００９８】
次いで、コントローラ１００は原稿幅センサ３８がオンしたか否かを判別し（ステップＳ２０）、原稿幅センサ３８がオンした場合には、コントローラ１００は原稿幅センサ３８からの検出情報に基づいて原稿の幅情報を取得する（ステップＳ２１）。この結果、コントローラ１００は原稿長さ検出センサ２５〜２７の原稿長さ情報と原稿幅センサ３８からの幅情報との組合せにより原稿テーブル２４上に積載された原稿束Ｐのサイズ情報を把握することができる。
【００９９】
このとき、原稿はプルアウトローラ対３６および読取入口ローラ対３７に挟持されて読取位置８０に向かって搬送される。この際には原稿搬送速度を高速に設定されるので、原稿を読取位置８０に送り込む処理時間の短縮を図ることができる。特に、２枚目以降の原稿ではこの高速搬送により前原稿との紙間を短縮することで生産性を向上させることができる。
【０１００】
次いで、コントローラ１００は混載モードがオフになっているか否かを判別し（ステップＳ２２）、混載モードがオフになっている場合には、本体制御部１１１に原稿テーブル２４上に積載された原稿束Ｐのサイズ情報を送信する（ステップＳ２３）。
【０１０１】
次いで、コントローラ１００は読取入口センサ３９によって原稿の先端が検出されたか否かを判別し（ステップＳ２４）、読取入口センサ３９がオンしない場合には、ジャム検出時間オーバーか否かを判別する（ステップＳ２５）。コントローラ１００はジャム検出時間オーバーであるものと判別した場合には、先端検出未達ジャムと判別して表示部４８にジャム表示を行う（ステップＳ２６）。
【０１０２】
一方、ステップＳ２５で読取入口センサ３９がオンになったものと判別した場合には、電子媒体検出部８０２の検出に基づいて、コントローラ１００は原稿が電子ペーパーであるか否かを判別する（ステップＳ２７）。この判別に基づいて、読取り時の搬送制御の分岐が行われる（図１２のステップＳ３５で後述する）。
この後、突当て量の補正カウントをスタートする（ステップＳ２８）。すなわち、コントローラ１００は読取入口センサ３９と読取入口ローラ対３７の距離よりも大きく設定された所定量Ｙｍｍに相当する給紙モータ１０２の駆動パルスのカウントを開始する。
【０１０３】
次いで、コントローラ１００は給紙モータ１０２のパルスカウントが突当て量（Ｙｍｍ）に相当する所定パルスに到達したか否かを判別し（ステップＳ２９）、パルスカウントが所定パルスに到達した場合には、給紙モータ１０２を停止して（ステップＳ３０）、本体制御部１１１にレジスト停止信号を送信した後（ステップＳ３１）、読取位置８０までの搬送制御を終了する。また、給紙モータ１０２が所定パルスに到達した時点では、原稿が所定量の撓みを持って読取入口ローラ対３７に押し当てられた状態になり原稿のスキューが補正される。
【０１０４】
図１２は読取り時の原稿の搬送制御プログラムのフローチャートである。図１２において、コントローラ１００は、原稿が電子ペーパーであるか否かを判別し（ステップＳ３５）、電子ペーパーではなく、紙媒体であるものと判別した場合には、読取モータ１０３の速度を読取倍率から設定した後（ステップＳ３６）、続いて本体制御部１１１から読取開始信号を受信すると、原稿読取り動作を開始する。なお、電子ペーパーは、片面（表示面）のみに画像を表示するので、片面モードには、紙媒体および電子ペーパーの一方又は双方（混載に相当する）を読取搬送する場合が含まれる。
【０１０５】
コントローラ１００は読取モータ１０３を正転駆動して読取入口ローラ対３７および読取出口ローラ対４０を読取倍率に応じた搬送速度で駆動する（ステップＳ３７）。次いで、コントローラ１００は原稿の先端がレジストセンサ４１によって検出されたか否かを判別し（ステップＳ３８）、原稿の先端が検出されると、読取モータ１０３のパルスカウントを開始する（ステップＳ３９）。
【０１０６】
次いで、コントローラ１００は、読取モータ１０３のパルスカウント値がレジストセンサ４１とスリットガラス２２ｂ上の読取位置８０の距離に相当する表面所定パルスになったか否かを判別する（ステップＳ４０）。
【０１０７】
コントローラ１００はカウント値が表面所定パルスに到達したものと判別した場合には、原稿のスリップ率等を考慮した補正パルスが表面所定パルスになったか否かを判別する（ステップＳ４１）。
【０１０８】
コントローラ１００は補正パルスが表面所定パルスに到達したものと判別した場合には、原稿先端が読取位置８０に到達するタイミングで、本体制御部１１１に対して副走査方向有効画像領域を示すゲート信号を送信した後（ステップＳ４２）、表面ゲートカウントを開始する（ステップＳ４３）。
【０１０９】
次いで、コントローラ１００は排紙センサ５０によって原稿の先端が検出されたか否かを判別し（ステップＳ４４）、排紙センサ５０によって原稿の先端が検出されていないものと判別した場合には、ジャム検出時間オーバーか否かを判別する（ステップＳ４５）。
【０１１０】
コントローラ１００はジャム検出時間オーバーであるものと判別した場合には、排紙未達ジャムと判別して表示部４８にジャム表示を行う（ステップＳ４６）。
【０１１１】
一方、ステップＳ４４で排紙センサ５０がオンになったものと判別した場合には、図１３に示すようにコントローラ１００はレジストセンサ４１がオフであるか否かを判別し（ステップＳ４７）、レジストセンサ４１がオフでないものと判別した場合には、ジャム検出時間オーバーか否かを判別する（ステップＳ４８）。コントローラ１００はジャム検出時間オーバーであるものと判別した場合には、レジスト滞留ジャムと判別して表示部４８にジャム表示を行う（ステップＳ４９）。
【０１１２】
また、コントローラ１００はレジストセンサ４１がオフであるものと判別した場合には、読取モータ１０３のパルスをカウントする後端カウントをスタートする（ステップＳ５０）。
【０１１３】
次いで、コントローラ１００は読取モータ１０３のパルスのカウント値が表面所定パルスに達したか否かを判別し（ステップＳ５１）、表面所定パルスに達したものと判別した場合には、ゲートカウント値が原稿長よりも大きくなったか否かを判別する（ステップＳ５２）。
【０１１４】
コントローラ１００はゲートカウント値が原稿長よりも大きくなったものと判別した場合には、副走査方向有効画像領域を示すゲート信号の送信を停止する（ステップＳ５３）。
【０１１５】
次いで、コントローラ１００は排紙センサ５０がオフになったか否かを判別し（ステップＳ５４）、排紙センサ５０がオフになっていないものと判別した場合には、ジャム検出時間オーバーか否かを判別する（ステップＳ５５）。
【０１１６】
コントローラ１００はジャム検出時間オーバーであるものと判別した場合には、排紙滞留ジャムと判別して表示部４８にジャム表示を行う（ステップＳ５６）。また、コントローラ１００は排紙センサ５０がオフになったものと判別した場合には、排紙完了を示す信号を本体制御部１１１に送信して（ステップＳ５７）、処理を終了する。
【０１１７】
一方、ステップＳ３５で原稿が電子ペーパーであるものと判別した場合には、図１４に示すように、読取モータ１０３の速度を読取倍率から設定した後（ステップＳ３１１）、続いて本体制御部１１１から読取開始信号を受信すると、読取モータ１０３を正転駆動して読取入口ローラ対３７および読取出口ローラ対４０を読取倍率に応じた搬送速度で駆動する（ステップＳ３１２）。なお、ステップＳ３１１では読取り時の搬送に係るローラ間の搬送圧の設定も行う。
【０１１８】
次いで、コントローラ１００は原稿の先端がレジストセンサ４１によって検出されたか否かを判別し（ステップＳ３１３）、原稿の先端が検出されると、読取モータ１０３のパルスカウントを開始する（ステップＳ３１４）。
【０１１９】
次いで、コントローラ１００は、読取モータ１０３のパルスカウント値がレジストセンサ４１とスリットガラス２２ｂ上の読取位置８０の距離に相当する表面所定パルスになったか否かを判別する（ステップＳ３１５）。
【０１２０】
コントローラ１００はカウント値が表面所定パルスに到達したものと判別した場合には、原稿のスリップ率等を考慮した補正パルスが表面所定パルスになったか否かを判別する（ステップＳ３１６）。
【０１２１】
コントローラ１００は補正パルスが表面所定パルスに到達したものと判別した場合には、原稿先端が読取位置８０に到達するタイミングで、本体制御部１１１に対して副走査方向有効画像領域を示すゲート信号を送信し（ステップＳ３１７）、表面ゲートカウントを開始する（ステップＳ３１８）。
【０１２２】
次いで、コントローラ１００は読取出口センサ４７によって原稿の先端が検出されたか否かを判別し（ステップＳ３１９）、読取出口センサ４７によって原稿の先端が検出されていないものと判別した場合には、ジャム検出時間オーバーか否かを判別する（ステップＳ３２０）。
【０１２３】
コントローラ１００はジャム検出時間オーバーであるものと判別した場合には、読取出口未達ジャムと判別して表示部４８にジャム表示を行う（ステップＳ３２１）。
【０１２４】
一方、ステップＳ３１９で読取出口センサ４７がオンになったものと判別した場合には、反転ソレノイド１０５をオンとして切替爪４４を図２中、点線で示す位置に移動させ、反転モータ１０４の正転によりスイッチバックローラ対としての反転ローラ対４５を駆動して原稿をスイッチバック通路４６ａに搬送する（ステップＳ３２２）。
【０１２５】
次いで、図１５に示すように、コントローラ１００は排紙センサ５０によって原稿の先端が検出されたか否かを判別し（ステップＳ３２３）、排紙センサ５０によって原稿の先端が検出されていないものと判別した場合には、ジャム検出時間オーバーか否かを判別する（ステップＳ３２４）。
【０１２６】
コントローラ１００はジャム検出時間オーバーであるものと判別した場合には、排紙未達ジャムと判別して表示部４８にジャム表示を行う（ステップＳ３２５）。
【０１２７】
一方、ステップＳ３２３で排紙センサ５０がオンになったものと判別した場合には、コントローラ１００は反転センサ４９によって原稿の先端が検出されたか否かを判別し（ステップＳ３２６）、反転センサ４９によって原稿の先端が検出されていないものと判別した場合には、ジャム検出時間オーバーか否かを判別する（ステップＳ３２７）。
【０１２８】
コントローラ１００はジャム検出時間オーバーであるものと判別した場合には、反転未達ジャムと判別して表示部４８にジャム表示を行う（ステップＳ３２８）。
【０１２９】
一方、ステップＳ３２６で反転センサ４９がオンになったものと判別した場合には、コントローラ１００はレジストセンサ４１がオフであるか否かを判別し（ステップＳ３２９）、レジストセンサ４１がオフでないものと判別した場合には、ジャム検出時間オーバーか否かを判別する（ステップＳ３３０）。コントローラ１００はジャム検出時間オーバーであるものと判別した場合には、レジスト滞留ジャムと判別して表示部４８にジャム表示を行う（ステップＳ３３１）。
【０１３０】
また、コントローラ１００はレジストセンサ４１がオフであるものと判別した場合には、読取モータ１０３のパルスをカウントする後端カウントをスタートする（ステップＳ３３２）。
【０１３１】
次いで、コントローラ１００は読取モータ１０３のパルスのカウント値が表面所定パルスに達したか否かを判別し（ステップＳ３３３）、表面所定パルスに達したものと判別した場合には、ゲートカウント値が原稿長よりも大きくなったか否かを判別する（ステップＳ３３４）。
【０１３２】
コントローラ１００はゲートカウント値が原稿長よりも大きくなったものと判別した場合には、本体制御部１１１に対する副走査方向有効画像領域を示すゲート信号の送信を停止する（ステップＳ３３５）。
【０１３３】
次いで、コントローラ１００は読取出口センサ４７がオフになったか否かを判別し（ステップＳ３３６）、読取出口センサ４７がオフになっていないものと判別した場合には、ジャム検出時間オーバーか否かを判別する（ステップＳ３３７）。
【０１３４】
コントローラ１００はジャム検出時間オーバーであるものと判別した場合には、読取出口滞留ジャムと判別して表示部４８にジャム表示を行う（ステップＳ３３８）。また、コントローラ１００は読取出口センサ４７がオフになったものと判別した場合には、図１６に示すように読取モータ１０３の駆動パルスが所定パルスに達した後（ステップＳ３３９）、反転ソレノイド１０５をオフとして切替爪４４を図２中、実線で示す位置に移動させ、反転モータ１０４を逆転駆動して反転ローラ対４５を逆転駆動することにより、原稿をプルアウトローラ対３６に向かってスイッチバックする（ステップＳ３４０）。
【０１３５】
次いで、反転モータ１０４の駆動パルスが所定パルスに達した後（ステップＳ３４１）、コントローラ１００は給紙モータ１０２を高速で逆転駆動する（ステップＳ３４２）。給紙モータ１０２が逆転駆動されると、プルアウトローラ対３６は駆動されるが、プーリ１４０のワンウェイクラッチの作用により呼出しコロ３１と給紙ベルト３２に駆動力は伝達されないので、原稿はプルアウトローラ対３６によって搬送される。
次いで、コントローラ１００は反転センサ４９がオフになったか否かを判別し（ステップＳ３４３）、オフになったものと判別した場合には反転モータ１０４を停止する（ステップＳ３４４）。
【０１３６】
次いで、コントローラ１００は読取モータ１０３を高速起動する（ステップＳ３４５）。ここでは、読取位置８０で読取りを行わず、電子ペーパーを反転して表示面をコンタクトガラス上面に対向させる。
【０１３７】
この後、コントローラ１００は読取出口センサ４７がオンになったか否かを判別し（ステップＳ３４６）、読取出口センサ４７がオンになっていないものと判別した場合には、ジャム検出時間オーバーか否かを判別する（ステップＳ３４７）。
【０１３８】
コントローラ１００はジャム検出時間オーバーであるものと判別した場合には、読取出口未達ジャムと判別して表示部４８にジャム表示を行う（ステップＳ３４８）。また、コントローラ１００は読取出口センサ４７がオンになったものと判別した場合には、反転ソレノイド１０５をオンとして切替爪４４を図２中、二点鎖線で示す位置に移動させ、反転モータ１０４を駆動して反転ローラ対４５を正転駆動することにより、原稿を再給紙通路４６ａに向かって搬送する（ステップＳ３４９）。
次いで、コントローラ１００は読取出口センサ４７がオフになったか否かを判別し（ステップＳ３５０）、読取出口センサ４７がオフになったものと判別した場合には、反転モータ１０４の駆動パルスが所定パルスに達した後（ステップＳ３５１）、図１７に示すように反転ソレノイド１０５をオフとして切替爪４４を図２中、実線で示す位置に移動させ、反転モータ１０４を逆転駆動して反転ローラ対４５を逆転駆動することにより、原稿をプルアウトローラ対３６に向かってスイッチバックする（ステップＳ３５２）。
【０１３９】
次いで、反転モータ１０４の駆動パルスが所定パルスに達した後（ステップＳ３５３）、コントローラ１００は給紙モータ１０２の逆転駆動の速度を読取速度とする（ステップＳ３５４）。
【０１４０】
次いで、コントローラ１００は反転センサ４９がオフになったか否かを判別し（ステップＳ３５５）、反転センサ４９がオフになったものと判別した場合には、反転モータ１０４の駆動を停止する（ステップＳ３５６）。
次いで、コントローラ１００は読取入口センサ３９がオンになったか否かを判別し（ステップＳ３５７）、読取入口センサ３９がオンになっていないものと判別した場合には、ジャム検出時間オーバーか否かを判別する（ステップＳ３５８）。
【０１４１】
コントローラ１００はジャム検出時間オーバーであるものと判別した場合には、先端検知未達ジャムと判別して表示部４８にジャム表示を行う（ステップＳ３５９）。また、コントローラ１００は読取入口センサ３９がオンになったものと判別した場合には、頁切替え部８０１に対して電子ペーパー９００の頁切替えを指令する（ステップＳ３６０）。この指令に基づいて、頁切替え部８０１は電子ペーパー９００に対して所定の信号を送信し、電子ペーパー９００は電子ペーパー表示器９０４の表示頁を更新することになる。
【０１４２】
この後、コントローラ１００は前述したように突当て量の補正カウント（給紙モータ１０２の駆動パルスのカウント）をスタートし（ステップＳ３６１）、突当て量に相当する所定パルスに到達した場合には、給紙モータ１０２を停止して（ステップＳ３６２）、本体制御部１１１にレジスト停止信号を送信した後（ステップＳ３６４）、読取位置８０までの搬送制御を終了する。
【０１４３】
次いで、コントローラ１００はステップＳ３６１で頁切替え部８０１が取得した頁情報に基づいて、今回の切替え表示後の頁が最終頁であるか否かを判別する（ステップＳ３６５）。すなわち、頁切替え部８０１から電子ペーパー９００への頁切替えの指令に対して、最終頁であることを示す信号が応答されたか否かを判別する。
【０１４４】
コントローラ１００は今回の切替え表示後の頁が最終頁であると判別した場合には、図１８、図１９に示すように読取モータ１０３の速度を読取倍率から設定した後、本体制御部１１１から読取開始信号を受信すると、読取モータ１０３を正転駆動してステップＳ３６０で切替えが行われた後の電子ペーパーの画像を読取る。ここで、図１８のステップＳ３６６〜Ｓ３７６、図１９のステップＳ３７７〜Ｓ３８７は、図１２のステップＳ３６〜Ｓ４６、図１３のステップＳ４７〜Ｓ５７に相当するために、説明を省略する。
【０１４５】
なお、両面モードの場合には、片面の読取りが終了した後、読取位置８０を抜けた原稿の先端が排紙ローラ４２に到達する前に反転ソレノイド１０５をオンにして切替爪４４を図２中、二点鎖線で示す位置に切替えて反転モータ１０４を正転駆動する。この正転駆動により、原稿を図２中、矢印Ｂで示すようにスイッチバック経路４６ａ上に搬送する。この後、切替爪４４を図２中、実線で示す位置に切替えて反転モータ１０４を逆転駆動し、原稿を図２中、矢印Ｃで示すように再給紙通路４６ｂに搬送する。こうして、一旦スイッチバック搬送した片面読取り後の原稿を読取位置８０へ再搬送して他の一面を読取らせる。さらに頁順を揃えるため、両面読取り後の原稿を再度スイッチバック経路４６ａ上に搬送し、再給紙通路４６ｂを通して反転させ、読取位置８０では読取りを行わずに排紙トレイ４３に排紙する。すなわち、両面モードの場合には、読取位置８０を３回通って排紙されることになる。
【０１４６】
最後に、プレフィード動作（片面読取り時）を図１６のフローチャートに基づいて説明する。
【０１４７】
図１６において、コントローラ１００は、本体制御部１１１から開始読取開始信号を受信して読取りが開始されたか否かを判別する（ステップＳ２２２）。なお、前述のように、片面モードには、紙媒体および電子ペーパーの一方又は双方を搬送する場合が含まれる。
【０１４８】
次いで、コントローラ１００は突当てセンサ３５がオフであるか否かを判別し（ステップＳ２２６）、突当てセンサ３５によって先行原稿の後端を検知してからの給紙モータ１０２の駆動パルスのカウントを開始する後端カウントをスタートする（ステップＳ２２７）。
【０１４９】
次いで、コントローラ１００は後端カウントが所定パルスになったか否かを判別する（ステップＳ２２８）。この所定パルスは突当てセンサ３５によって原稿の後端が検知されてからプルアウトローラ対３６を通過するまでの給紙モータ１０２の駆動パルスに設定されている。
【０１５０】
コントローラ１００はステップＳ２２８で後端カウントが所定パルス以上になったものと判別した場合には、給紙モータ１０２の逆転駆動を停止し（ステップＳ２２９）、次原稿テーブル２４上に次原稿があるか否かを判別する（ステップＳ２３０）。
【０１５１】
原稿テーブル２４上に次原稿がある場合には、図９〜図１１のフローチャートに示す処理を実行して次原稿の給紙を行う（ステップＳ２３４）。
【０１５２】
また、ステップＳ２３０で次原稿がない場合には、呼出しモータ１０１を時計回転方向に正転駆動して（ステップＳ２３１）、ストッパ爪２８を図２中、二点鎖線で示す位置に復帰させた後（ステップＳ２３２）、呼出しモータ１０１の駆動を停止する（ステップＳ２３３）。
【０１５３】
このような本発明の第１の実施の形態としての複写機２１は、ＩＣチップ９０２、電子ペーパー表示器９０４、電子ペーパードライバ９０５、接触部９０７等を有する電子ペーパー９００と紙媒体のいずれか又は双方を原稿として読取位置８０へ搬送するＡＤＦ２３と、原稿に端子８０２ａ、８０２ｂを接触させて電流を流し、通電するか否かに基づいて媒体種別を判別する電子媒体検出部８０２と、読取位置８０で紙媒体に形成された画像又は電子ペーパー９００に切替え表示された画像を光学的に読取る画像読取装置８１と、を備え、コントローラ１００を、電子媒体検出部８０２の判別に基づいてＡＤＦ２３の搬送を制御する搬送制御手段、および画像読取装置８１の読取りを制御する読取制御手段として機能させる構成を有している。この構成は、請求項１の発明の実施の一形態に相当する。
【０１５４】
この構成により、複写機２１において紙媒体と電子ペーパーの双方を読取ることができる。
【０１５５】
また、本実施の形態の複写機２１は、電子ペーパー表示器９０４に表示されている画像を頁単位で切替えるための頁切替え部８０１を備え、ＩＣチップ９０２又は電子ペーパー記憶素子９０３に複数頁分の電子データが記憶されている場合に、コントローラ１００は頁切替え部８０１に対して電子ペーパーの頁切替えを指令し、この指令で切替えられた画像を画像読取装置８１に読取らせる構成を有している。この構成は、請求項２の発明の実施の一形態に相当する。
【０１５６】
この構成により、複写機２１において電子ペーパーに記憶された複数頁分の電子データを画像に変換して光学的に読取ることができる。
【０１５７】
また、本実施の形態の複写機２１は、原稿テーブル２４から読取位置８０へ通じる反転通路５３と、読取位置８０から反転ローラ対４５へ通じる排紙通路５７および再給紙通路４６ａと、反転ローラ対４５から読取位置８０へ通じる再給紙通路４６ａ、４６ｂおよび反転通路５３と、を有し、電子ペーパーを読取る場合に、コントローラ１００は、原稿テーブル２４に載置された電子ペーパーを反転通路５３を通して読取位置８０へ反転搬送し（第１回の反転搬送）、第１頁読取り後の電子ペーパーを排紙通路５７および再給紙通路４６ａ、４６ｂを通して読取位置８０へ反転搬送し（第２回の反転搬送）、再び、排紙通路５７および再給紙通路４６ａ、４６ｂを通して読取位置８０へ反転搬送するよう（第３回の反転搬送）、ＡＤＦ２３を制御し、頁切替え部８０１は、読取位置８０の搬送方向上流で、第３回の反転搬送時に電子ペーパーの頁ごとの画像を切替え、また、コントローラ１００は、電子ペーパーの第１回および第３回の反転搬送時に読取位置８０で画像を読取るよう、画像読取装置８１前を制御する構成を有している。この構成は、請求項３の発明の実施の一形態に相当する。
【０１５８】
この構成により、媒体種別（電子ペーパーか紙媒体か）に応じて異なる搬送制御を行うことにより、既存のＡＤＦ２３において紙媒体と電子ペーパーの双方を読取ることができる。
【０１５９】
また、本実施の形態の複写機２１は、呼出しコロ３１に対して搬送方向上流近傍に電子媒体検出部８０２を配置した構成を有している。この構成は、請求項７の発明の実施の一形態に相当する。
【０１６０】
このように電子媒体検出部８０２を読取位置８０に対して搬送方向上流の搬送路近傍に配置することにより、媒体種別に基づいて異なる搬送制御を選択し、必要な演算処理を行うための時間を確保することができる。特に、呼出しコロ３１近傍に配置した場合には、原稿テーブル２４に載置された電子ペーパーが略停止した状態で媒体種別を検出できるので、誤検出が少なくなることが期待される。
【０１６１】
また、本実施の形態では、電子ペーパー９００に接触部９０７およびＩＣチップ９０２を設け、頁切替え部８０１に接触部８０１ａおよび通信制御部８０１ｂを設けて、電子ペーパー９００から接触部９０７を介して頁切替え部８０１に対し、頁切替え時に頁情報の信号（例えば、第１頁又は最終頁を通知するもの）を送信し、コントローラ１００は、頁切替え部８０１が接触部８０１ａを介して受信した頁情報の信号に基づいて、ＩＣチップ９０２又は電子ペーパー記憶素子９０３に複数頁分の画像が記憶されているか否かおよび最終頁であるか否かを判別する構成を有している。この構成は、請求項９の発明の実施の一形態に相当する。
【０１６２】
この構成により、例えば、コントローラ１００は、第１頁読取り後の頁切替え後の頁が第１頁である場合には電子ペーパーに複数頁分の画像が記憶されていると判別して読取りを行わずに排紙し、頁切替え後の頁が最終頁である場合には読取りを行うように搬送制御を変更することができる。よって、既存のＡＤＦ２３の構成で効率的に紙媒体と電子ペーパーの双方を読取ることができる。
【０１６３】
また、本実施の形態の複写機２１では、例えば、図１１のステップＳ２７、図１２のステップＳ３５が判別制御機能に相当し、例えば、図１２、図１３のステップＳ３６〜Ｓ５７、図１４〜図１９のステップＳ３１１〜Ｓ３８７が搬送制御機能に相当し、例えば、図１２、図１３のステップＳ３６〜Ｓ５７、図１４〜図１９のステップＳ３１１〜Ｓ３８７に対応する本体制御部１１１の画像読取装置８１に対する制御が読取制御機能に相当する。この機能構成は、請求項１１の発明の実施の一形態に相当する。
【０１６４】
この機能構成により、複写機２１において電子ペーパーに記憶された複数頁分の電子データを画像に変換して光学的に読取ることができる。
【０１６５】
また、本実施の形態の複写機２１では、例えば、図１７のステップＳ３６０が頁切替え制御機能に相当し、図１８、図１９のステップＳ３６６〜Ｓ３８７が読取制御機能に相当する。この機能構成は、請求項１２の発明の実施の一形態に相当する。
【０１６６】
この構成により、原稿が電子ペーパーであって、複数頁分の電子データを記憶している場合には、頁切替えを行いながら紙媒体と異なる搬送制御を行うことにより、既存のＡＤＦ２３において紙媒体と電子ペーパーの双方を読取ることができる。
【０１６７】
また、本実施の形態の電子ペーパー９００は、頁ごとに区切られた電子データを記憶するＩＣチップ９０２のＩＣチップ記憶素子と、前記電子データを頁ごとの画像に変換して切替え表示する電子ペーパー表示器９０４および電子ペーパードライバ９０５と、接触部９０７を介して外部と通信するＩＣチップ９０２の通信制御回路と、を備え、頁切替え部８０１からの頁切替えを指令する信号に応じて頁数を含む画像を頁ごとに切替え表示する構成を有している。この構成は、請求項１３の発明の実施の一形態に相当する。
【０１６８】
この構成により、原稿として紙媒体を用いていたＡＤＦ２３においても、頁切替え部８０１を設けることにより、紙媒体と電子ペーパーの双方を読取ることができる。
また、本実施の形態の電子ペーパー９００は、頁切替え部８０１からの頁切替えを指令する信号に応じて、頁切替え後の頁が第１頁又は最終頁である場合に、その旨を示す信号を返す構成を有している。この構成は、請求項１５、１６の発明の実施の一形態に相当する。
【０１６９】
この構成により、コントローラ１００は頁切替え部８０１を介して取得した頁情報に基づいて、電子ペーパーが１頁分の電子データを記憶している場合だけでなく、複数頁分の電子データを記憶している場合にも、頁切替えを行いながら効率的な搬送制御を実現することができる。
［第２の実施の形態］
図２１〜図３０は本発明の第２の実施の形態の画像読取装置、この画像読取装置を備えた画像形成装置、電子ペーパーおよびプログラムの一実施の形態を示す図であり、本実施の形態では、画像形成装置を複写機に適用した例を示している。これは、退避テーブル８１０、切替爪１２４、ソレノイド（不図示）および頁切替え部８０１′を追加した点、この追加に伴い、電子ペーパーの読取り時の搬送制御を変更した点が第１の実施の形態と異なるものであるため、これらの点を除き、同一構成には同一符号を付与して説明を一部省略する。
【０１７０】
まず、図２１、図２２に基づいてＡＤＦ２３の構成を説明する。図２１はＡＤＦ２３の概略構成図である。図２２はＡＤＦ２３の制御系の概略を示すブロック図である。
【０１７１】
図２１、図２２において、頁切替え部８０１′は、排紙ローラ４２より搬送方向上流の搬送通路近傍に設けられ、頁切替え部８０１と同様の構成および機能を有してコントローラ１００に接続されている。
【０１７２】
切替爪１２４は、読取入口ローラ対３７の搬送方向上流側（給紙時）に設けられている。そして、切替爪１２４は、電子ペーパーの頁切替えを行いながら読取るとき、排紙ローラ４２を通して読取位置８０へスイッチバック搬送された電子ペーパーがプルアウトローラ対３６に到達する前に、不図示のソレノイドに駆動されて２点鎖線で示す位置に切替わるようになっている。この切替えにより、退避台通路５５を通して矢印Ｄが示す方向に電子ペーパーを搬送し、退避テーブル８１０に退避させる。
【０１７３】
コントローラ１００は退避していた電子ペーパーが再び読取位置８０へ搬送され、読取入口センサ３９がオフになると、電子ペーパーの後端が切替爪１２４を抜け出たものと判別して、不図示のソレノイドをオフにして切替爪１２４を実線で示す位置に移動させるようになっている。
【０１７４】
次に、図２３〜図３０のフローチャートに基づいて原稿の搬送動作を説明する。なお、図２３〜図３０のフローチャートはコントローラ１００によって制御される搬送制御プログラムである。ここでは、原稿（紙媒体又は電子ペーパー）の片面を読取搬送する片面モードの搬送動作のうち、電子ペーパーの搬送動作を示す。
【０１７５】
第１の実施の形態（図９〜図１１に相当する）を適用して給紙が行われた後、原稿が電子ペーパーであるか否かを判別し（図１２のステップＳ３５に相当する）、電子ペーパーであると判別した場合に、読取モータ１０３の速度を読取倍率から設定した後（ステップＳ３１１）、続いて本体制御部１１１から読取開始信号を受信すると、読取モータ１０３を正転駆動して読取入口ローラ対３７および読取出口ローラ対４０を読取倍率に応じた搬送速度で駆動して第１頁（当該電子ペーパーのセット時に表示されている頁）の読取りを行い（図２３のステップＳ３１２〜Ｓ３２２、図２４のＳ３２３〜Ｓ３３４）、読取りが終了すると本体制御部１１１に対する副走査方向有効画像領域を示すゲート信号の送信を停止する（ステップＳ３３５）。ここで、図２３のステップＳ３１２〜Ｓ３２２、図２４のＳ３２３〜Ｓ３３４は、前述した図１４のステップＳ３１２〜Ｓ３２２、図１５のＳ３２３〜Ｓ３３４に相当するために、説明を省略する。
【０１７６】
次いで、コントローラ１００は読取出口センサ４７がオフになったか否かを判別し（ステップＳ３３６）、読取出口センサ４７がオフになっていないものと判別した場合には、ジャム検出時間オーバーか否かを判別する（ステップＳ３３７）。
【０１７７】
コントローラ１００はジャム検出時間オーバーであるものと判別した場合には、読取出口滞留ジャムと判別して表示部４８にジャム表示を行う（ステップＳ３３８）。また、コントローラ１００は読取出口センサ４７がオフになったものと判別した場合には、図２５に示すように頁切替え部８０１′に対して電子ペーパーの頁切替えを指令する（ステップＳ４０１）。この指令に基づいて、頁切替え部８０１′は電子ペーパーに対して頁切替えを指令する信号を送信し、電子ペーパーは頁切替えを行うと共に、頁切替え後の頁が第１頁又は最終頁である場合には、頁切替え部８０１′に対して第１頁又は最終頁であることを示す信号を送信する。頁切替え部８０１′は、第１頁又は最終頁であることを示す信号を受信すると、その頁情報の信号をコントローラ１００に送る。
【０１７８】
次いで、コントローラ１００は今回電子ペーパーに切替え表示された頁が第１頁であるか否かを判別する（ステップＳ４０２）。ここでは、頁切替え部８０１′が第１頁であることを示す信号を受信したか否かに基づいて判別する。
【０１７９】
ここで、切替え表示された頁が第１頁であると判別した場合に、コントローラ１００は図３０のステップＳ４６２の処理に分岐する。また、切替え表示された頁が第１頁ではないと判別した場合に、反転モータ１０４の駆動パルスが所定パルスに達した後（ステップＳ４０３）、コントローラ１００は反転モータ１０４および読取モータ１０３を逆転駆動し、読取位置８０へと電子ペーパーをスイッチバック搬送する（ステップＳ４０４）。
【０１８０】
次いで、コントローラ１００は電子ペーパーの先端が読取出口センサ４７に検出されたか否かを判別し（ステップＳ４０５）、読取出口センサ４７がオンになっていないものと判別した場合には、ジャム検出時間オーバーか否かを判別する（ステップＳ４０６）。
コントローラ１００はジャム検出時間オーバーであるものと判別した場合には、排紙未達ジャムと判別して表示部４８にジャム表示を行う（ステップＳ４０７）。また、コントローラ１００は読取出口センサ４７がオンになったものと判別した場合には、読取出口ローラ対４０の突当て量の補正カウントをスタートする（ステップＳ４０８）。
【０１８１】
次いで、コントローラ１００は読取モータ１０３のパルスカウントが突当て量に相当する所定パルスに到達したか否かを判別し（ステップＳ４０９）、パルスカウントが所定パルスに到達した場合には、読取モータ１０３を停止して（ステップＳ４１０）、本体制御部１１１にレジスト停止信号を送信する（ステップＳ４１１）。
【０１８２】
次いで、コントローラ１００は読取モータ１０３の速度を読取倍率から設定した後（ステップＳ４１２）、本体制御部１１１から読取開始信号を受信すると、原稿読取り動作を開始する。
【０１８３】
コントローラ１００は読取モータ１０３を逆転駆動して読取入口ローラ対３７および読取出口ローラ対４０を読取倍率に応じた搬送速度で駆動する（ステップＳ４１３）。次いで、コントローラ１００は所定パルス搬送されたか否かを判別し（ステップＳ４１４）、所定パルス搬送されたと判別した場合には、読取モータ１０３のパルスカウントを開始する（ステップＳ４１５）。
【０１８４】
次いで、コントローラ１００は、読取モータ１０３のパルスカウント値が前記所定パルス搬送された位置とスリットガラス２２ｂ上の読取位置８０の距離に相当する表面所定パルスになったか否かを判別する（ステップＳ４１６）。
【０１８５】
コントローラ１００はカウント値が表面所定パルスに到達したものと判別した場合には、原稿のスリップ率等を考慮した補正パルスが表面所定パルスになったか否かを判別する（ステップＳ４１７）。
【０１８６】
コントローラ１００は補正パルスが表面所定パルスに到達したものと判別した場合には、原稿先端が読取位置８０に到達するタイミングで、本体制御部１１１に対して副走査方向有効画像領域を示すゲート信号を送信した後（ステップＳ４１８）、表面ゲートカウントを開始する（ステップＳ４１９）。
【０１８７】
次いで、コントローラ１００は読取入口センサ３９によって電子ペーパーの先端が検出されたか否かを判別し（ステップＳ４２０）、読取入口センサ３９によって電子ペーパーの先端が検出されていないものと判別した場合には、ジャム検出時間オーバーか否かを判別する（ステップＳ４２１）。
【０１８８】
コントローラ１００はジャム検出時間オーバーであるものと判別した場合には、排紙未達ジャムと判別して表示部４８にジャム表示を行う（ステップＳ４２２）。
【０１８９】
一方、ステップＳ４２０で読取入口センサ３９がオンになったものと判別した場合には、コントローラ１００は不図示のソレノイドをオンにして切替爪１２４を図２１中、二点鎖線で示す位置に切替える。この切替えにより、電子ペーパーは退避台通路５５を通って退避テーブル８１０に退避することになる。
【０１９０】
次いで、コントローラ１００は排紙センサ５０によって電子ペーパーの後端が検出されたか否かを判別し（ステップＳ４２４）、排紙センサ５０によって電子ペーパーの後端が検出されたものと判別した場合には、反転ソレノイド１０５をオフとして切替爪４４を図２１中、実線で示す位置に切替える（ステップＳ４２５）。
【０１９１】
次いで、コントローラ１００は読取出口センサ４７を電子ペーパーの後端が通過してオフが検出されたか否かを判別し（ステップＳ４２６）、読取出口センサ４７のオフであるものと判別した場合には、読取モータ１０３のパルスをカウントする後端カウントをスタートする（ステップＳ４２７）。
【０１９２】
次いで、コントローラ１００は読取モータ１０３のパルスのカウント値が表面所定パルスに達したか否かを判別し（ステップＳ４２８）、表面所定パルスに達したものと判別した場合には、図２７に示すようにゲートカウント値が原稿長よりも大きくなったか否かを判別する（ステップＳ４２９）。
【０１９３】
コントローラ１００はゲートカウント値が原稿長よりも大きくなったものと判別した場合には、副走査方向有効画像領域を示すゲート信号の送信を停止する（ステップＳ４３０）。
【０１９４】
次いで、コントローラ１００はレジストセンサ４１がオフになったか否かを判別し（ステップＳ４３１）、レジストセンサ４１がオフになっていないものと判別した場合には、ジャム検出時間オーバーか否かを判別する（ステップＳ４３２）。
【０１９５】
コントローラ１００はジャム検出時間オーバーであるものと判別した場合には、レジスト滞留ジャムと判別して表示部４８にジャム表示を行う（ステップＳ４３３）。また、コントローラ１００はレジストセンサ４１がオフになったものと判別した場合には、頁切替え部８０１に対して電子ペーパーの頁切替えを指令する（ステップＳ４３４）。
【０１９６】
この指令に基づいて、頁切替え部８０１は電子ペーパーに対して頁切替えを指令する信号を送信し、電子ペーパーは頁切替えを行うと共に、頁切替え後の頁が第１頁又は最終頁である場合には、頁切替え部８０１に対して第１頁又は最終頁であることを示す信号を送信する。頁切替え部８０１は、第１頁又は最終頁であることを示す信号を受信すると、その頁情報の信号をコントローラ１００に送る。
【０１９７】
次いで、コントローラ１００は反転モータ１０４および読取モータ１０３を停止し（ステップＳ４３５）、本体制御部１１１にレジスト停止信号を送信する（ステップＳ４３６）。
【０１９８】
次いで、コントローラ１００は読取モータ１０３の速度を読取倍率から設定した後（ステップＳ４３７）、本体制御部１１１から読取開始信号を受信すると、原稿読取り動作を開始する。
【０１９９】
コントローラ１００は読取モータ１０３を正転駆動して読取入口ローラ対３７および読取出口ローラ対４０を読取倍率に応じた搬送速度で駆動する（ステップＳ４３８）。次いで、コントローラ１００は所定パルス搬送されたか否かを判別し、所定パルス搬送されたと判別した場合には、読取モータ１０３のパルスカウントを開始する（ステップＳ４３９）。
【０２００】
次いで、コントローラ１００は、読取モータ１０３のパルスカウント値が前記所定パルス搬送された位置とスリットガラス２２ｂ上の読取位置８０の距離に相当する表面所定パルスになったか否かを判別する（ステップＳ４４０）。
【０２０１】
コントローラ１００はカウント値が表面所定パルスに到達したものと判別した場合には、電子ペーパーのスリップ率等を考慮した補正パルスが表面所定パルスになったか否かを判別する（ステップＳ４４１）。
【０２０２】
コントローラ１００は補正パルスが表面所定パルスに到達したものと判別した場合には、電子ペーパーの先端が読取位置８０に到達するタイミングで、本体制御部１１１に対して副走査方向有効画像領域を示すゲート信号を送信した後（ステップＳ４４２）、表面ゲートカウントを開始する（ステップＳ４４３）。
【０２０３】
次いで、コントローラ１００は排紙センサ５０によって電子ペーパーの先端が検出されたか否かを判別し（ステップＳ４４４）、排紙センサ５０によって電子ペーパーの先端が検出されていないものと判別した場合には、ジャム検出時間オーバーか否かを判別する（ステップＳ４４５）。
【０２０４】
コントローラ１００はジャム検出時間オーバーであるものと判別した場合には、排紙未達ジャムと判別して表示部４８にジャム表示を行う（ステップＳ４４６）。
【０２０５】
一方、ステップＳ４４４で排紙センサ５０がオンになったものと判別した場合には、コントローラ１００はステップＳ４３４で頁切替え後の頁が最終頁であるか否かを判別する（ステップＳ４４７）。ここでは、頁切替え部８０１が最終頁であることを示す信号を受信したか否かに基づいて判別する。
【０２０６】
ステップＳ４４７で最終頁であるものと判別した場合、コントローラ１００は反転ソレノイド１０５をオンにして切替爪４４を図２１中、二点鎖線で示す位置に切替える（ステップＳ４４８）。この切替えにより、電子ペーパーは再給紙通路４６ａに搬送されることになる。
【０２０７】
次いで、コントローラ１００は、電子ペーパーが再給紙通路４６ａに所定パルス搬送されたか否かを判別し（ステップＳ４４９）、所定パルス搬送されたと判別した場合には、読取出口センサ４７がオフになったか否かを判別する（ステップＳ４５０）。ここで、読取出口センサ４７がオフになったと判別した場合に、コントローラ１００は不図示のソレノイドをオフとして切替爪１２４を図２１中、実線で示す位置に切替える（ステップＳ４５１）。この切替えにより、次に搬送されるれ原稿は反転通路５３を通って読取位置８０へ搬送されることになる。
【０２０８】
次いで、コントローラ１００は電子ペーパーの後端の通過でレジストセンサ４１がオフとなったか否かを判別した後（ステップＳ４５２）、排紙搬送制御を行う。なお、図２９のステップＳ４５２〜Ｓ４６２の搬送制御は、前述した図１３のステップＳ４７〜Ｓ５７に相当するため、説明を省略する。
【０２０９】
一方、頁切替え部８０１′の頁切替え（図２５のステップＳ４０１）によって切替え表示された頁が第１頁であるものと判別した場合に、コントローラ１００は反転モータ１０４および読取モータ１０３を逆転駆動する（ステップＳ４６３）。この逆転駆動により、電子ペーパーは、排紙駆動ローラ４２ａおよび排紙下従動ローラ４２ｃと反転ローラ対４５とによって再給紙通路４６ａから読取位置８０へと搬送される。
次いで、コントローラ１００は電子ペーパーの後端の通過で排紙センサ５０がオフとなったか否かを判別し（ステップＳ４６４）、排紙センサ５０がオフとなったと判別した場合には、電子ペーパーが排紙ローラ４２を抜けたものとして反転ソレノイド１０５をオフにし、切替爪４４を図２１中、実線で示す位置に切替える（ステップＳ４６５）。
【０２１０】
次いで、コントローラ１００は反転モータ１０４を停止し、読取モータ１０３を正転駆動する（ステップＳ４６６）。ここで排紙駆動ローラ４２ａおよび排紙下従動ローラ４２ｃが駆動することにより、電子ペーパーは再び排紙ローラ４２へと搬送される。
【０２１１】
次いで、コントローラ１００は電子ペーパーの先端を排紙センサ５０が検出してオンになったか否かを判別し（ステップＳ４６７）、オンになったと判別した場合には、この後、電子ペーパーの後端の通過で排紙センサ５０がオフになったか否かを判別する（ステップＳ４６８）。ここで、排紙センサ５０がオフになっていないものと判別した場合には、ジャム検出時間オーバーか否かを判別する（ステップＳ４６９）。
【０２１２】
コントローラ１００はジャム検出時間オーバーであるものと判別した場合には、排紙滞留ジャムと判別して表示部４８にジャム表示を行う（ステップＳ４７０）。また、コントローラ１００は排紙センサ５０がオフになったものと判別した場合には、排紙完了を示す信号を本体制御部１１１に送信して（ステップＳ４７１）、処理を終了する。
【０２１３】
このような本発明の第２の実施の形態としての複写機２１は、原稿テーブル２４から読取位置８０へ通じる反転通路５３と、読取位置８０から反転ローラ対４５へ通じる排紙通路５７および再給紙通路４６ａと、読取位置８０から退避テーブル８１０へ通じる退避台通路５５と、を有し、コントローラ１００は、原稿テーブル２４に載置された電子ペーパーを反転通路５３を通して読取位置８０へ反転搬送し、第１頁読取り後に排紙通路５７および再給紙通路４６ａを通して反転ローラ対４５へ搬送し、反転ローラ対４５から再給紙通路４６ａおよび排紙通路５７を通して読取位置８０へスイッチバック搬送し、第２頁読取り後に退避テーブル８１０へ退避台通路５５を通してスイッチバック搬送し、退避テーブル８１０から退避台通路５５を通して読取位置８０へ搬送するよう、ＡＤＦ２３を制御し、また、コントローラ１００は第１頁の読取り後、頁切替え部８０１′に排紙トレイ４３と反転ローラ対４５の間で頁切替えを行わせ、次いで頁切替え部８０１に読取入口ローラ対３７の搬送方向上流で頁切替えを行わせ、また、コントローラ１００は読取位置８０で電子ペーパーの頁切替えに応じて最終頁までの画像を読取るよう、画像読取装置８１を制御する構成を有している。
【０２１４】
この構成により、退避テーブル８１０と反転ローラ対４５の間で電子ペーパーを往復搬送しながら、２箇所の頁切替え部８０１、８０１′で頁切替えを行うので、複数頁分の電子データを記憶した電子ペーパーを効率的に読取ることができる。
［第３の実施の形態］
図３１、図３２は本発明の第３の実施の形態の画像読取装置、この画像読取装置を備えた画像形成装置、電子ペーパーおよびプログラムの一実施の形態を示す図であり、本実施の形態では、画像形成装置を複写機に適用した例を示している。これは、切替爪１２１、ソレノイド（不図示）、ベルトセンサ１２５、搬送ベルト１２２およびベルトローラ１２３（１２３ａ〜１２３ｇ）を追加した点、頁切替え部８０１に替えて頁切替え部８０１″を設けた点、この追加、代替に伴い、電子ペーパーの読取り時の搬送制御を変更した点が第１の実施の形態と異なるものであるため、これらの点を除き、同一構成には同一符号を付与して説明を一部省略する。
【０２１５】
図３１、図３２に基づいてＡＤＦ２３の構成を説明する。図３１はＡＤＦ２３の概略構成図である。図３２はＡＤＦ２３の制御系の概略を示すブロック図である。
【０２１６】
図３１、図３２において、頁切替え部８０１″は、コンタクトガラス２２ａと接する原稿スケールの端面に接触部（図７の８０１ａに相当する）が設けられ、頁切替え部８０１と同様の構成および機能を有して本体制御部１１１に接続されている。本実施の形態では、電子ペーパー９００の接触部９０７を周縁および端面に形成し、原稿テーブル２４からコンタクトガラス２２ａに搬送された電子ペーパー９００に対して、頁切替え部８０１″が頁切替えを指令するようにしている。
【０２１７】
切替爪１２１は、読取位置８０近傍の前記原稿スケールと読取出口ローラ対４０の間に設けられている。搬送ベルト１２２は、読取モータ１０３の駆動でベルトローラ１２３（１２３ａ〜１２３ｇ）が回転することにより、コンタクトガラス２２ａ上の電子ペーパーを搬送するものである。
【０２１８】
コントローラ１００は、コンタクトガラス２２ａ上で電子ペーパーの頁切替えを行いながら、画像読取装置８１を図３１中、左右方向に往復させて画像を読取るとき、反転通路５３を通って読取位置８０を通過した電子ペーパーが読取出口ローラ対４０に到達する前に（例えば、レジストセンサ４１が電子ペーパーの先端を検出してから所定パルス搬送されたとき）、不図示のソレノイドを駆動して、切替爪１２１を２点鎖線で示す位置に切替えるようになっている。この切替えにより、電子ペーパーは搬送ベルト１２２に導かれ、搬送ベルト１２２によってコンタクトガラス２２ａ上を搬送される。
【０２１９】
また、コントローラ１００は電子ペーパーがコンタクトガラス２２ａ上に搬送され、ベルトセンサ１２５が電子ペーパーの先端を検出してオンになると、電子ペーパーが搬送ベルト１２２に達したものと判別して、不図示のソレノイドをオフにして切替爪１２１を実線で示す位置に切替えるようになっている。
【０２２０】
また、コントローラ１００は、コンタクトガラス２２ａ上の電子ペーパーが搬送ベルト１２２によって矢印Ｅで示す方向に搬送され、その後端をベルトセンサ１２５が検出すると、読取モータ１０３を所定パルス分、逆転駆動し、電子ペーパーの接触部と頁切替え部８０１″の接触部（原稿スケールの端面に露出した部分）を接触させるようになっている。
【０２２１】
本体制御部１１１は電子ペーパーの表示頁の読取りが終了すると、画像読取装置８１を原稿スケール側に移動させ、頁切替え部８０１″に電子ペーパーの頁切替えを指令し、最終頁の読取りが終了すると、コントローラ１００に読取終了の信号を送信するようになっている。この信号に基づいて、コントローラ１００は、読取モータ１０３を駆動して搬送ベルト１２２を矢印Ｅで示す方向に回転させるようになっている。電子ペーパーはベルト反転通路５６を通して排紙トレイ４３に搬送される。
【０２２２】
以上のように構成された複写機２１について、電子ペーパー読取り時の搬送制御を説明する。
【０２２３】
前述したように電子媒体検出部８０２の検出に基づいて原稿が電子ペーパーであるものと判別した場合、コントローラ１００は、呼出しモータ１０１、給紙モータ１０２および読取モータ１０３を順次駆動し、呼出しコロ３１、プルアウトローラ対３６、読取入口ローラ対３７、読取出口ローラ対４０等を回転させて、電子ペーパーを読取位置８０へ搬送する。ここでは、電子ペーパーをコンタクトガラス２２ａ上で読取るために、読取位置８０まで高速に搬送するようモータの速度を設定する。
【０２２４】
次いで、コントローラ１００は、レジストセンサ４１が電子ペーパーの先端を検出してから所定パルス搬送されたか否かを判別し、所定パルス搬送されたと判別すると、不図示のソレノイドを駆動する。この駆動で、切替爪１２１は２点鎖線で示す位置に切替わるため、電子ペーパーは切替爪１２１によって搬送ベルト１２２に導かれる。
【０２２５】
次いで、コントローラ１００は、ベルトセンサ１２５が電子ペーパーの先端を検出してオンとなったか否かを判別し、オンとなったものと判別した場合には、不図示のソレノイドをオフにして切替爪１２１を実線で示す位置に切替える。
【０２２６】
次いで、コントローラ１００は、ベルトセンサ１２５が電子ペーパーの後端の通過でオフとなったか否かを判別し、オフとなったものと判別した場合には、読取モータ１０３を所定パルス分、逆転駆動して搬送ベルト１２２を矢印Ｆで示す方向に回転させる。この所定パルス分の逆転駆動により、電子ペーパーの接触部と頁切替え部８０１″の接触部とが接触する。この後、読取モータ１０３の駆動を停止させる。
【０２２７】
次いで、コントローラ１００は本体制御部１１１に対し、電子ペーパーがコンタクトガラス２２ａ上の所定位置に達したことを示す信号を送信する。この信号に基づいて、本体制御部１１１は画像読取装置８１を図３１中、右方向の所定位置まで移動させながら電子ペーパーに表示されている頁の画像を読取らせる。その頁の読取りが終了すると、本体制御部１１１は画像読取装置８１を図３１中、左方向の所定位置まで移動させ、頁切替え部８０１″に対して電子ペーパーの頁切替えを指令する。
【０２２８】
この指令に基づいて、頁切替え部８０１″は電子ペーパー９００に対して所定の信号を送信し、電子ペーパー９００は電子ペーパー表示器９０４の表示頁を更新することになる。前述したように更新後の頁が最終頁である場合には、電子ペーパー９００から頁切替え部８０１″に対して所定の頁情報の信号が送信されるため、本体制御部１１１は、頁切替え部８０１″から取得した頁情報に基づいて、最終頁の読取りが終了したか否かを判別することができる。
【０２２９】
本体制御部１１１は、最終頁の読取りが終了するまで画像読取装置８１を図３１中、左右方向に移動させて電子ペーパーの表示頁を読取らせ、最終頁の読取りが終了すると、コントローラ１００に対して読取終了の信号を送信する。
【０２３０】
コントローラ１００は、前記読取終了の信号に基づいて読取モータ１０３を駆動させ、搬送ベルト１２２を矢印Ｅで示す方向に回転させる。この駆動により、電子ペーパーはベルト反転通路５６を通して排紙ローラ４２へ反転搬送され、排紙トレイ４３へ排紙される。
【０２３１】
このような本発明の第３の実施の形態としての複写機２１では、コントローラ１００は、ＡＤＦ２３にコンタクトガラス２２ａ上の原稿スケールに電子ペーパーが接するよう搬送して保持させ、コンタクトガラス２２ａの下方で画像読取装置８１を往復移動させて電子ペーパーの画像を読取らせ、頁ごとの読取りが終了して画像読取装置８１が往復移動する度に、原稿スケールに露出した頁切替え部８０１の接触部を介し、電子ペーパーに対して頁切替えを指令し、電子ペーパーの最終頁までの頁切替えを行いながら画像を読取るよう、制御する構成を有している。この構成は、請求項５の発明の実施の一形態に相当する。
【０２３２】
この構成により、紙媒体の搬送通路を通さずに電子ペーパーを読取るので、読取搬送時間を短縮し、かつ搬送ジャム等の発生を抑えることができる。また、次原稿として紙媒体が混載されている場合に、次原稿のプレフィードを妨げることなく、効率的な読取搬送を実現することができる。さらに、搬送ベルト１２２を設けることにより、複数枚の原稿を搬送する際、原稿間隔を詰めて安定した搬送を実現することができる。
［第４の実施の形態］
図３３、図３４は本発明の第４の実施の形態の画像読取装置、この画像読取装置を備えた画像形成装置、電子ペーパーおよびプログラムの一実施の形態を示す図であり、本実施の形態では、画像形成装置を複写機に適用した例を示している。これは、電子ペーパー９００の裏面の周縁に接触部（図５、図６の９０７に相当する）を追加した点、頁切替え部８０１″に替えて板バネ状の接触部８０４ａ〜８０４ｅを有する頁切替え部８０４を用いた点が第３の実施の形態と異なるものであるため、これらの点を除き、同一構成には同一符号を付与して説明を一部省略する。
【０２３３】
図３３、図３４、図３５に基づいてＡＤＦ２３の構成を説明する。図３３はＡＤＦ２３の概略構成図である。図３４は頁切替え部８０４の接触部８０４ａ〜８０４ｅの構成を示す平面図および断面図である。図３５はＡＤＦ２３の制御系の概略を示すブロック図である。
【０２３４】
図３３、図３４において、頁切替え部８０４はＡＤＦ２３側に設けられ、搬送方向（副走査方向）の長さが異なる複数の板バネ状の接触部８０４ａ〜８０４ｅを有している。これらの接触部８０４ａ〜８０４ｅは筐体フレーム２３０に取付けられており、原稿スケール２３１近傍のコンタクトガラス２２ａの上面に所定の圧力で接触している。なお、所定の圧力とは、電子ペーパー９００が原稿スケール２３１の搬送方向上流からコンタクトガラス２２ａ上に搬送されるとき、接触部８０４ａ〜８０４ｅが通過を妨げない程度のバネ圧である。例えば、電子ペーパー９００に対して頁切替えを指令するときに、接触部８０４ａ〜８０４ｅは図３４（ｂ）中、実線で示す初期位置にあり、電子ペーパー９００が原稿スケール２３１を超えてコンタクトガラス２２ａ上に進入するときには、電子ペーパー９００に突き当たって図３４（ｂ）中、点線で示す位置に移動する。
【０２３５】
また、頁切替え部８０４は頁切替え部８０１″と同様の構成および機能を有し、図３５に示すように、ＡＤＦ２３に接続されている。本実施の形態では、電子ペーパー９００の接触部９０７を表面および裏面の周縁に形成し、電子ペーパー表示器９０４の表示面を下向きにしてコンタクトガラス２２ａに載置された電子ペーパー９００又は原稿テーブル２４からコンタクトガラス２２ａに搬送された電子ペーパー９００の裏面の接触部と、頁切替え部８０４の接触部８０４ａ〜８０４ｅと、が接触するタイミングで、頁切替え部８０４が電子ペーパー９００に対して頁切替えを指令するようにしている。
【０２３６】
コントローラ１００は、コンタクトガラス２２ａ上の電子ペーパーを搬送ベルト１２２によって矢印Ｅで示す方向に搬送させ、その後端をベルトセンサ１２５が検出すると、読取モータ１０３を所定パルス分、逆転駆動し、電子ペーパーの裏面の接触部と頁切替え部８０４の板バネ状の接触部８０４ａ〜８０４ｅを接触させるようになっている。
【０２３７】
本体制御部１１１は、電子ペーパーの表示頁の読取りが終了すると、送信画像読取装置８１を原稿スケール側に移動させ、コントローラ１００は、頁切替え部８０４に電子ペーパーの頁切替えを指令するようになっている。この後、コントローラ１００は、本体制御部１１１を介して送信画像読取装置８１に電子ペーパーの頁切替え後の読取りを行わせ、最終頁の読取り搬送が終了すると、読取モータ１０３を駆動して搬送ベルト１２２を矢印Ｅで示す方向に回転させるようになっている。電子ペーパーはベルト反転通路５６を通して排紙トレイ４３に搬送される。
【０２３８】
以上のように構成された複写機２１について、電子ペーパー読取り時の搬送制御を説明する。
【０２３９】
前述したように電子媒体検出部８０２の検出に基づいて原稿が電子ペーパーであるものと判別した場合、コントローラ１００は、呼出しモータ１０１、給紙モータ１０２および読取モータ１０３を順次駆動し、呼出しコロ３１、プルアウトローラ対３６、読取入口ローラ対３７、読取出口ローラ対４０等を回転させて、電子ペーパーを読取位置８０へ搬送する。ここでは、電子ペーパーをコンタクトガラス２２ａ上で読取るために、読取位置８０まで高速に搬送するようモータの速度を設定する。
【０２４０】
次いで、コントローラ１００は、レジストセンサ４１が電子ペーパーの先端を検出してから所定パルス搬送されたか否かを判別し、所定パルス搬送されたと判別すると、不図示のソレノイドを駆動する。この駆動で、切替爪１２１は２点鎖線で示す位置に切替わるため、電子ペーパーは切替爪１２１によって搬送ベルト１２２に導かれる。
【０２４１】
次いで、コントローラ１００は、ベルトセンサ１２５が電子ペーパーの先端を検出してオンとなったか否かを判別し、オンとなったものと判別した場合には、不図示のソレノイドをオフにして切替爪１２１を実線で示す位置に切替える。
【０２４２】
次いで、コントローラ１００は、ベルトセンサ１２５が電子ペーパーの後端の通過でオフとなったか否かを判別し、オフとなったものと判別した場合には、読取モータ１０３を所定パルス分、逆転駆動して搬送ベルト１２２を矢印Ｆで示す方向に回転させる。この所定パルス分の逆転駆動により、電子ペーパーの裏面の接触部と頁切替え部８０４の接触部８０４ａ〜８０４ｅとが接触する。この後、読取モータ１０３の駆動を停止させる。
【０２４３】
次いで、コントローラ１００は本体制御部１１１に対し、電子ペーパーがコンタクトガラス２２ａ上の所定位置に達したことを示す信号を送信する。この信号に基づいて、本体制御部１１１は画像読取装置８１を図３３中、右方向の所定位置まで移動させながら電子ペーパーに表示されている頁の画像を読取らせる。その頁の読取りが終了すると、本体制御部１１１は画像読取装置８１を図３３中、左方向の所定位置まで移動させ、コントローラ１００に対して電子ペーパーの頁切替えを指令する。
【０２４４】
この指令に基づいて、コントローラ１００は頁切替え部８０４に電子ペーパー９００に対して所定の信号を送信させ、電子ペーパー９００は電子ペーパー表示器９０４の表示頁を更新することになる。前述したように更新後の頁が最終頁である場合には、電子ペーパー９００から頁切替え部８０４に対して所定の頁情報の信号が送信されるため、コントローラ１００は頁切替え部８０４から取得した頁情報に基づいて、最終頁の読取りが終了したか否かを判別することができる。また、本体制御部１１１は、コントローラ１００を介して頁切替え部８０４から取得した頁情報に基づいて、最終頁の読取りが終了したか否かを判別することができる。
【０２４５】
コントローラ１００からの所定の頁情報の信号に基づいて、本体制御部１１１は、最終頁の読取りが終了するまで画像読取装置８１を図３３中、左右方向に移動させて電子ペーパーの表示頁を読取らせ、最終頁の読取りが終了すると、コントローラ１００に対して読取終了の信号を送信する。
【０２４６】
コントローラ１００は、前記読取終了の信号に基づいて読取モータ１０３を駆動させ、搬送ベルト１２２を矢印Ｅで示す方向に回転させる。この駆動により、電子ペーパーはベルト反転通路５６を通して排紙ローラ４２へ反転搬送され、排紙トレイ４３へ排紙される。
【０２４７】
このような本発明の第４の実施の形態としての複写機２１では、ＡＤＦ２３側の頁切替え部８０４に、コンタクトガラス２２ａの上面に接する板バネ状の接触部８０４ａ〜８０４ｅを設け、複写対象の電子ペーパーの裏面に接触部８０４ａ〜８０４ｅと接触するための接触部（図６の９０７に相当する）を追加し、コントローラ１００は、コンタクトガラス２２ａの上面に圧接している接触部８０４ａ〜８０４ｅと、電子ペーパーの裏面の接触部とが接触するよう、ＡＤＦ２３によって電子ペーパーをコンタクトガラス２２ａ上で搬送させると共に保持させ、本体制御部１１１は、コンタクトガラス２２ａの下方で画像読取装置８１を往復移動させて電子ペーパーの画像を読取らせ、頁ごとの読取りが終了して画像読取装置８１が往復移動する度に、コントローラ１００に対して頁切替えを指令し、この指令に基づいて、コントローラ１００は、頁切替え部８０４の接触部８０４ａ〜８０４ｅを介し、電子ペーパーに対して頁切替えを指令することにより、電子ペーパーの最終頁が終了するまで頁切替えを行いながら画像を読取る構成を有している。この構成は、請求項５の発明の実施の一形態に相当する。
【０２４８】
この構成により、紙媒体の搬送通路を通さずに電子ペーパーを読取るので、読取搬送時間を短縮し、かつ搬送ジャム等の発生を抑えることができる。また、次原稿として紙媒体が混載されている場合に、次原稿のプレフィードを妨げることなく、効率的な読取搬送を実現することができる。また、搬送ベルト１２２を設けることにより、複数枚の原稿を搬送する際、原稿間隔を詰めて安定した搬送を実現することができる。さらに、頁切替え部８０４において、搬送方向に延在する一部の接触部８０４ｂ、８０４ｄを長くし、他の接触部８０４ａ、８０４ｃ、８０４ｅを短くしているので、斜行して搬送されてきた電子ペーパーの裏面の接触部と接触部８０４ａ〜８０４ｅのいずれかが確実に接触することが期待される。なお、接触部８０４ａ〜８０４ｅの形状は、前述した第４の実施形態に限定されるものではない。例えば、複数の接触部８０４ａ〜８０４ｅを１枚の板バネで形成してもよい。
［第５の実施形態］
図３６、図３７、図３８は本発明の第５の実施の形態の画像読取装置、この画像読取装置を備えた画像形成装置、電子ペーパーおよびプログラムの一実施の形態を示す図であり、本実施の形態では、画像形成装置を複写機に適用した例を示している。これは、コンタクトガラス２２ａ下方の後端側（図３６中、右側）にベルト後端センサ１２６を追加した点、頁切替え部８０１″に替えて板バネ状の接触部８０５ａ、８０５ｂを有する頁切替え部８０５をコンタクトガラス２２ａ下方の後端側に設けた点、この追加、代替に伴い、電子ペーパーの読取り時の搬送制御を変更した点が第３の実施の形態と異なるものであるため、これらの点を除き、同一構成には同一符号を付与して説明を一部省略する。なお、電子ペーパーの接触部は第１および第２の実施の形態と同様である。
【０２４９】
図３６、図３７、図３８に基づいてＡＤＦ２３の構成を説明する。図３６はＡＤＦ２３の概略構成図である。図３７は頁切替え部８０５の接触部８０５ａ、８０５ｂの構成を示す平面図および断面図である。図３８はＡＤＦ２３の制御系の概略を示すブロック図である。
【０２５０】
図３６、図３７、図３８において、頁切替え部８０５は、有効画像領域外でコンタクトガラス２２ａ下方の後端側に配置され、板バネ状の接触部８０５ａ、８０５ｂを有している。接触部８０５ａ、８０５ｂは、前記板バネの一端側がコンタクトガラス２２ａの下面に接着され、その断面形状が略Ｕ字の部分（凸部）が、コンタクトガラス２２ａに穿たれた孔からコンタクトガラス２２ａ上面に突出している。また、頁切替え部８０５は、頁切替え部８０１″と同様の機能を有して本体制御部１１１に接続されている。本実施の形態では、電子ペーパー９００の接触部９０７を周縁に形成し、原稿テーブル２４からコンタクトガラス２２ａに搬送された電子ペーパー９００に対して、頁切替え部８０５が頁切替えを指令するようにしている。
【０２５１】
コントローラ１００は、コンタクトガラス２２ａ上の電子ペーパーを搬送ベルト１２２によって矢印Ｅで示す方向に搬送させ、その後端をベルトセンサ１２５が検出すると、読取モータ１０３を所定パルス分、逆転駆動させ、電子ペーパーを原稿スケール下流の読取位置へ搬送してセットするようになっている。
【０２５２】
また、コントローラ１００は、電子ペーパーの表示頁の読取りが終了すると、読取モータ１０３を所定パルス分、正転駆動し、電子ペーパーの先端をベルト後端センサ１２６が検出したこと示す情報を本体制御部１１１から取得すると、さらに読取モータ１０３を所定パルス分、正転駆動し、電子ペーパーの接触部（図６の９０７に相当する）と頁切替え部８０５の接触部８０５ａ、８０５ｂ（コンタクトガラス２２ａ上に突出した部分）を接触させるようになっている。
【０２５３】
本体制御部１１１は、電子ペーパーの表示頁の読取りが終了すると、画像読取装置８１を原稿スケール側に移動させ、コントローラ１００から電子ペーパーの接触部と頁切替え部８０５の接触部８０５ａ、８０５ｂが接触する位置に電子ペーパーを搬送したことを示す情報を取得すると、頁切替え部８０５に電子ペーパーの頁切替えを指令し、さらに画像読取装置８１に頁切替え後の電子ペーパーを読取らせ、最終頁の読取りが終了すると、コントローラ１００に読取終了の信号を送信するようになっている。この信号に基づいて、コントローラ１００は、読取モータ１０３を駆動して搬送ベルト１２２を矢印Ｅで示す方向に回転させるようになっている。電子ペーパーはベルト反転通路５６を通して排紙トレイ４３に搬送される。
【０２５４】
以上のように構成された複写機２１について、電子ペーパー読取り時の搬送制御を説明する。
【０２５５】
前述したように電子媒体検出部８０２の検出に基づいて原稿が電子ペーパーであるものと判別した場合、コントローラ１００は、呼出しモータ１０１、給紙モータ１０２および読取モータ１０３を順次駆動し、呼出しコロ３１、プルアウトローラ対３６、読取入口ローラ対３７、読取出口ローラ対４０等を回転させて、電子ペーパーを読取位置８０へ搬送する。ここでは、電子ペーパーをコンタクトガラス２２ａ上で読取るために、読取位置８０まで高速に搬送するようモータの速度を設定する。
【０２５６】
次いで、コントローラ１００は、レジストセンサ４１が電子ペーパーの先端を検出してから所定パルス搬送されたか否かを判別し、所定パルス搬送されたと判別すると、不図示のソレノイドを駆動する。この駆動で、切替爪１２１は２点鎖線で示す位置に切替わるため、電子ペーパーは切替爪１２１によって搬送ベルト１２２に導かれる。
【０２５７】
次いで、コントローラ１００は、ベルトセンサ１２５が電子ペーパーの先端を検出してオンとなったか否かを判別し、オンとなったものと判別した場合には、不図示のソレノイドをオフにして切替爪１２１を実線で示す位置に切替える。
【０２５８】
次いで、コントローラ１００は、ベルトセンサ１２５が電子ペーパーの後端の通過でオフとなったか否かを判別し、オフとなったものと判別した場合には、読取モータ１０３を所定パルス分、逆転駆動して搬送ベルト１２２を矢印Ｆで示す方向に回転させる。この所定パルス分の逆転駆動により、電子ペーパーは原稿スケール下流の所定の読取位置に搬送される。ここで、コントローラ１００は読取モータ１０３の駆動を停止させる。
【０２５９】
次いで、コントローラ１００は本体制御部１１１に対し、電子ペーパーがコンタクトガラス２２ａ上の所定の読取位置に達したことを示す信号を送信する。この信号に基づいて、本体制御部１１１は画像読取装置８１を図３６中、右方向の所定位置まで移動させながら電子ペーパーに表示されている頁の画像を読取らせる。その頁の読取りが終了すると、本体制御部１１１は画像読取装置８１を図３６中、左方向の所定位置まで移動させ、コントローラ１００に対して頁切替えのための搬送を指令する。
【０２６０】
この指令に基づいて、コントローラ１００は、読取モータ１０３を正転駆動して搬送ベルト１２２を矢印Ｅで示す方向に回転させる。この正転駆動により、電子ペーパーはコンタクトガラス２２ａ下流に向けて搬送される。本体制御部１１１は、コンタクトガラス２２ａ下流に向けて搬送された電子ペーパーの先端をベルト後端センサ１２６が検出すると、コントローラ１００に対してベルト後端センサ１２６の検出情報を示す信号を送信する。この信号に基づいて、コントローラ１００は、さらに所定パルス分、読取モータ１０３を正転駆動し、電子ペーパーの接触部と頁切替え部８０５の接触部８０５ａ、８０５ｂが接触する位置まで搬送ベルト１２２によって電子ペーパーを搬送させる。ここで、コントローラ１００は本体制御部１１１に対して、電子ペーパーの接触部と頁切替え部８０５の接触部８０５ａ、８０５ｂが接触する位置に電子ペーパーを搬送したことを示す信号を送信する。
【０２６１】
この信号に基づいて、本体制御部１１１は、頁切替え部８０５に対して電子ペーパーの頁切替えを指令し、頁切替え部８０５は電子ペーパー９００に対して所定の信号を送信し、電子ペーパー９００は電子ペーパー表示器９０４の表示頁を更新することになる。前述したように更新後の頁が最終頁である場合には、電子ペーパー９００から頁切替え部８０５に対して所定の頁情報の信号が送信されるため、本体制御部１１１は、頁切替え部８０５から取得した頁情報に基づいて、最終頁の読取りが終了したか否かを判別することがでる。
【０２６２】
ここで、最終頁の読取りが終了しなかったと判別した場合に、本体制御部１１１は、コントローラ１００に対して電子ペーパーの読取りのための搬送を指令する。この指令に基づいて、コントローラ１００は、読取モータ１０３を逆転駆動して搬送ベルト１２２を矢印Ｆで示す方向に回転させる。この逆転駆動により、電子ペーパーはコンタクトガラス２２ａ上流に向けて搬送される。コントローラ１００は、コンタクトガラス２２ａ上流に向けて搬送された電子ペーパーの先端をベルトセンサ１２５が検出すると、さらに所定パルス分、読取モータ１０３を逆転駆動し、電子ペーパーは原稿スケール下流の所定の読取位置に搬送される。ここで、コントローラ１００は読取モータ１０３の駆動を停止させ、本体制御部１１１に対して、電子ペーパーがコンタクトガラス２２ａ上の所定の読取位置に達したことを示す信号を送信する。
【０２６３】
この信号に基づいて、本体制御部１１１は、最終頁の読取りが終了するまで画像読取装置８１を図３６中、左右方向に移動させて電子ペーパーの表示頁を読取らせる。そして、本体制御部１１１は、頁切替え部８０５から取得した頁情報に基づいて、最終頁の読取りが終了したと判別すると、コントローラ１００に対して読取終了の信号を送信する。
【０２６４】
コントローラ１００は、前記読取終了の信号に基づいて読取モータ１０３を駆動させ、搬送ベルト１２２を矢印Ｅで示す方向に回転させる。この駆動により、電子ペーパーはベルト反転通路５６を通して排紙ローラ４２へ反転搬送され、排紙トレイ４３へ排紙される。
【０２６５】
このような本発明の第５の実施の形態としての複写機２１では、コントローラ１００は、ＡＤＦ２３にコンタクトガラス２２ａ上の原稿スケール近傍の所定の読取位置に電子ペーパーを搬送させて保持させ、本体制御部１１１は、コンタクトガラス２２ａの下方で画像読取装置８１を往復移動させて電子ペーパーの画像を読取らせ、コントローラ１００は、頁ごとの読取りが終了して画像読取装置８１が往復移動する度に、ＡＤＦ２３に前記所定の読取位置からコンタクトガラス２２ａ上の頁切替え部８０５まで電子ペーパーを搬送させ、本体制御部１１１は、コンタクトガラス２２ａの下方の頁切替え部８０５に頁切替えを指令し、頁切替え部８０５は電子ペーパーに対して頁切替えを指令することにより、電子ペーパーの最終頁までの頁切替えを行いながら画像を読取る構成を有している。この構成は、請求項５の発明の実施の一形態に相当する。
【０２６６】
この構成により、紙媒体の搬送通路を通さずに電子ペーパーを読取るので、読取搬送時間を短縮し、かつ搬送ジャム等の発生を抑えることができる。また、次原稿として紙媒体が混載されている場合に、次原稿のプレフィードを妨げることなく、効率的な読取搬送を実現することができる。また、搬送ベルト１２２を設けることにより、複数枚の原稿を搬送する際、原稿間隔を詰めて安定した搬送を実現することができる。さらに、コンタクトガラス２２ａの有効画像領域外に頁切替え部８０５の接触部８０５ａ、８０５ｂを設けているので、紙媒体の搬送や画像読取りの障害とならず、かつ電子ペーパーの接触部と確実に接触することが期待される。また、接触部８０５ａ、８０５ｂは、電子ペーパーの表面の接触部と接触するので、電子ペーパーの裏面や端面に接触部を設ける必要はなくなる。
［第６の実施の形態］
図３９は本発明の第６の実施の形態の画像読取装置、この画像読取装置を備えた画像形成装置、電子ペーパーおよびプログラムの一実施の形態を示す図であり、本実施の形態では、画像形成装置を複写機に適用した例を示している。これは、コントローラ１００又は本体制御部１１１は、頁切替え部８０１″（第３の実施の形態に示す）、頁切替え部８０４（第４の実施の形態に示す）、頁切替え部８０５（第５の実施の形態に示す）のいずれかと電子ペーパー９００の接触部と接触させて、コンタクトガラス２２ａ上に載置された原稿が電子ペーパーであるか否かを判別することにより、コンタクトガラス２２ａ上に載置された電子ペーパー９００の頁切替えを行いながら、画像読取装置８１を左右方向に移動させて画像を読取るようにした点、ＡＤＦ２３の開放時の操作を操作部１０８の画面で案内する点が第３から第５の実施の形態と異なるものであるため、これらの点を除き、同一構成には同一符号を付与して説明を一部省略する。なお、電子ペーパーの接触部は第３から第５の実施の形態のいずれかと同様である。ここでは、第３の実施形態に適用した場合を示す。
【０２６７】
本実施の形態では、本体制御部１１１は、頁切替え部８０１″の接触部と電子ペーパー９００の端面の接触部とを接触させて、コンタクトガラス２２ａ上に載置された原稿が電子ペーパーであるか否かを判別する。具体的には、頁切替え部８０１″から原稿に対して所定の信号（例えば、媒体種別を要求する信号）を送信し、原稿から所定の信号（例えば、媒体種別が電子ペーパーであることを示す信号）が応答された場合に原稿が電子ペーパーであると判別し、応答がない場合には紙媒体であると判別してもよい。あるいは、頁切替え部８０１″に電子媒体検出部８０２と同様の機能を設け、原稿に電流を流して通電した場合に原稿が電子ペーパーであると判別し、通電しない場合には紙媒体であると判別してもよい。
【０２６８】
ここで、電子ペーパーであると判別した場合には、本体制御部１１１は頁切替え部８０１″にコンタクトガラス２２ａ上に載置された電子ペーパー９００の頁切替えを行わせながら、画像読取装置８１を左右方向に移動させて画像を読取らせる。そして、最終頁の読取りが終了すると、コントローラ１００は、読取モータ１０３を駆動させて、搬送ベルト１２２を矢印Ｅで示す方向に回転させる。これにより、電子ペーパーはベルト反転通路５６を通して排紙ローラ４２へ反転搬送され、排紙トレイ４３へ排紙される。
【０２６９】
また、本実施の形態では、操作者がＡＤＦ２３を開放し、コンタクトガラス２２ａ上で頁切替え部８０１″の接触部と電子ペーパー９００の端面の接触部とが接触しない位置に、電子ペーパーを載置してＡＤＦ２３を閉塞しないまま、読取りの開始を指示する場合が想定される。
【０２７０】
この場合、本体制御部１１１は、操作部１０８の液晶表示器（不図示）に、図３９に示す案内画面を表示させる。
【０２７１】
図３９（１）は、開放センサ（不図示）によってＡＤＦ２３の開放が検出された後、所定時間経過しても原稿長さ検出センサ２５、２６、２７が原稿を検知せず、頁切替え部８０１″が電子ペーパーであることを検知しない場合に表示される案内画面である。ここでは、紙媒体であるか電子ペーパーであるかを判別していないため、「原稿サイズがわかりません。」という表示がなされる。
【０２７２】
図３９（２）は、図３９（１）でサイズ指定がなされた場合に、電子ペーパーであるか否かを判別するため、「原稿は電子ペーパーですか？」という表示がなされる。ここで、「はい」、「いいえ」の選択がなされることにより、本体制御部１１１およびコントローラ１００は、原稿が電子ペーパーであるか紙媒体であるかを判別することができる。この判別に基づいて搬送制御および読取り制御が行われる。
【０２７３】
図３９（３）は、原稿が電子ペーパーであるか紙媒体であるかを判別した後、原稿をコンタクトガラス２２ａ上の有効画像領域内にセットするために表示される案内画面である。また、原稿が電子ペーパーである場合には、頁切替え部８０１″の接触部と電子ペーパーの接触部とが接触する位置にセットすることになり、本体制御部１１１から頁切替え部８０１″に対する頁切替えの指令が可能となる。
【０２７４】
図３９（４）は、原稿が電子ペーパーであるか紙媒体であるかを判別し、原稿の位置合せがなされた後に表示される案内画面である。ＡＤＦ２３を閉塞することにより、原稿を固定して画像の読取りを精度良く行うことになる。また、電子ペーパーの場合には、搬送ベルト１２２による搬送によって頁切替えおよび読取り後の排紙が可能となる。
【０２７５】
なお、前述した実施形態では、電子媒体検出部８０２が電子ペーパー９００に電流を流して通電するか否かに基づいて電子ペーパーであるか否かを判別するようにした場合について説明したが、本発明はこのほかに、例えば、電子ペーパー９００を構成するポリマー・フィルムと紙媒体の反射率の差に基づいて既存の光学センサ（例えば、分離センサ５１）により、電子ペーパーと紙媒体を判別するように構成してもよい。この構成によれば、新たな部品を加えることなく、媒体種別を検出することができる。
【０２７６】
また、前述した実施形態では、頁切替えにより電子ペーパーの最終頁が表示されると、この最終頁の読取り終了後に頁切替えを行うことなく、最終頁が表示された状態で電子ペーパーを排紙するようにした場合について説明したが、本発明はこのほかに、前記最終頁が表示された状態からさらに頁切替えを行い、第１頁が表示された状態で電子ペーパーを排紙するようにしてもよい。
【０２７７】
なお、前述した第２の実施の形態では、退避テーブル８１０と反転ローラ対４５の間で電子ペーパーを往復搬送した場合について説明したが、本発明はこのほかに、退避テーブル８１０と排紙トレイ４３の間で電子ペーパーを往復搬送してもよい。この場合、好ましくは、頁切替え部８０１を読取入口ローラ対３７に対して搬送方向下流近傍に配置し、頁切替え部８０１′を排紙ローラ４２に対して搬送方向上流近傍に配置し、原稿テーブル２４から読取位置８０へ通じる反転通路５３と、読取位置８０から排紙トレイ４３へ通じる排紙通路５７と、読取位置８０から退避テーブル８１０へ通じる退避台通路５５と、を有し、コントローラ１００は、原稿テーブル２４に載置された電子ペーパーを反転通路５３を通して読取位置８０へ反転搬送し、第１頁読取り後に排紙通路５７を通して排紙トレイ４３近傍へ搬送し、排紙トレイ４３近傍から排紙通路５７を通して読取位置８０へスイッチバック搬送し、第２頁読取り後に退避テーブル８１０へ退避台通路５５を通してスイッチバック搬送し、退避テーブル８１０から退避台通路５５を通して読取位置８０へ搬送するよう、ＡＤＦ２３を制御し、また、コントローラ１００は第１頁の読取り後、頁切替え部８０１′に排紙トレイ４３近傍で頁切替えを行わせ、次いで頁切替え部８０１に読取入口ローラ対３７の搬送方向上流で頁切替えを行わせ、また、コントローラ１００は読取位置８０で電子ペーパーの頁切替えに応じて所定頁（最終頁）までの画像を読取るよう、画像読取装置８１を制御する構成を有する。この構成は、請求項４の発明の実施の一形態に相当する。
【０２７８】
この構成により、退避テーブル８１０と排紙トレイ４３の間で電子ペーパーを往復搬送しながら、２箇所の頁切替え部８０１、８０１′で頁切替えを行うので、複数頁分の電子データを記憶した電子ペーパーを効率的に読取ることができる。
【０２７９】
また、退避テーブル８１０と排紙トレイ４３の間で電子ペーパーを往復搬送する際、挟時動作およびスイッチバック動作を行う読取入口ローラ対３７および排紙ローラ４２と、２箇所の頁切替え部８０１、８０１′と、の位置関係は、電子ペーパーにおける接触部の配置およびサイズと紙媒体の搬送手段（例えば、読取入口ローラ対３７、排紙ローラ４２）の配置とに応じて設定することができる。例えば、前述した「読取入口ローラ対３７の搬送方向下流近傍」と「排紙ローラ４２の搬送方向上流近傍」の組合せのほかに、「読取入口ローラ対３７の搬送方向上流近傍」と「排紙ローラ４２の搬送方向下流近傍」の組合せ、「読取入口ローラ対３７の搬送方向下流近傍」と「排紙ローラ４２の搬送方向下流近傍」の組合せ、「読取入口ローラ対３７の搬送方向上流近傍」と「排紙ローラ４２の搬送方向上流近傍」の組合せ等が可能である。いずれの組合せを選択するにしても、挟時動作時に電子ペーパーの接触部と頁切替え部の接触部とが確実に接触することが必要である。
【０２８０】
また、前述した各実施の形態では、電子ペーパーから送信された頁情報の信号に基づいて、電子ペーパーに複数頁分の電子データが記憶されているか否かを判別するようにした場合について説明したが、本発明はこのほかに、電子ペーパーの表示領域９０８に表示された頁数を読取り、この頁数に基づいて複数頁分の電子データが記憶されているか否かを判別するようにしても同様の効果が得られるものである。この場合、電子ペーパー表示器９０４の表示領域９０８には、頁情報としての頁数を表示し、コントローラ１００は、本体制御部１１１を介して画像読取装置８１から取得した頁数の情報に基づいてＩＣチップ９０２又は電子ペーパー記憶素子９０３に複数頁分の電子データが記憶されているか否かを判別する構成を有する。この構成は、請求項６の発明の実施の一形態に相当する。
【０２８１】
また、前述した各実施の形態では、電子ペーパーから送信された頁情報の信号に基づいて、電子ペーパーの読取り終了を判別するようにした場合について説明したが、本発明はこのほかに、例えば、電子ペーパーに表示された所定の画像に基づいて読取り終了を判別するようにしても同様の効果が得られるものである。この場合、電子ペーパー９００は頁切替え部８０１等からの頁切替えを指令する信号に応じ、最終頁が表示済みであることを示す所定の画像（例えば、無地の画像、読取り終了を明示するか示唆する特定の画像）を頁切替え時に表示する構成を有する。また、コントローラ１００は、本体制御部１１１を介して画像読取装置８１から取得した所定の画像の情報に基づいて電子ペーパーの読取りが終了したか否かを判別する構成を有する。この構成は、請求項８、１４の発明の実施の一形態に相当する。
【０２８２】
さらに、前述した読取り終了を示す所定の画像の表示のほかに、例えば既に読取り済みの画像（例えば、第１頁の画像）と今回読取った画像との一致、不一致に基づいて、読取りが終了したか否かを判別するようにしてもよい。あるいは、最終頁表示後は電子ペーパーが切替え表示を行わないようにしてもよい。この場合、所定の条件で切替え表示の停止が解除されるようにする。
【０２８３】
また、前述した各実施の形態では、頁切替え部８０１等と電子ペーパー９００との通信は接触部８０１ａ、９０７を介して行うようにした場合について説明したが、本発明はこのほかに、例えば、無線通信を用いても同様の効果が得られるものである。この場合、頁切替え部８０１等と電子ペーパー９００の双方に例えばアンテナコイルを設け、電子ペーパー９００と切替え部８０１等が接近すると、双方のアンテナ部が電磁結合して、電子ペーパー９００のアンテナコイルに誘導起電力が発生し、これを整流して得た電力をＩＣチップ９０２に供給して起動、情報の更新等に使用するようにしてもよい。前述の無線通信を用いることにより、頁切替え部８０１等は、頁切替え指令、頁情報（例えば、頁切替えで第１頁、最終頁が表示されることを示す情報）等を短時間で取得することができる。
また、前述した第３から第５の実施の形態では、コンタクトガラス２２ａに対して開閉自在のＡＤＦ２３を用いた場合について説明したが、本発明はこのほかに、圧板を備えた複写機等に前述の電子媒体検出部８０２、頁切替え部８０１″、８０４、８０５等を適用しても同様の効果が得られるものである。
【図面の簡単な説明】
【０２８４】
【図１】本発明の第１の実施の形態としての複写機の断面図である。
【図２】本発明の第１の実施の形態としての自動原稿搬送装置の断面図である。
【図３】本発明の第１の実施の形態としての電子媒体検出部のブロック図である。
【図４】本発明の第１の実施の形態としての電子媒体検出部の斜視図である。
【図５】本発明の第１の実施の形態としての電子ペーパーの平面図である。
【図６】本発明の第１の実施の形態としての電子ペーパーのブロック図である。
【図７】本発明の第１の実施の形態としての頁切替え部のブロック図である。
【図８】本発明の第１の実施の形態としての自動原稿搬送装置の制御系を示すブロック図である。
【図９】本発明の第１の実施の形態としての搬送制御のフローチャートである。
【図１０】図９に後続する搬送制御のフローチャートである。
【図１１】図１０に後続する搬送制御のフローチャートである。
【図１２】本発明の第１の実施の形態としての原稿の読取りを開始したときの搬送制御のフローチャートである。
【図１３】図１２に後続する搬送制御のフローチャートである。
【図１４】図１３に後続する搬送制御のフローチャートである。
【図１５】図１４に後続する搬送制御のフローチャートである。
【図１６】図１５に後続する搬送制御のフローチャートである。
【図１７】図１６に後続する搬送制御のフローチャートである。
【図１８】図１７に後続する搬送制御のフローチャートである。
【図１９】図１８に後続する搬送制御のフローチャートである。
【図２０】本発明の実施の一形態としての次原稿のプレフィード動作のフローチャートである。
【図２１】本発明の第２の実施の形態としての自動原稿搬送装置の断面図である。
【図２２】本発明の第２の実施の形態としての自動原稿搬送装置の制御系を示すブロック図である。
【図２３】本発明の第２の実施の形態としての搬送制御のフローチャートである。
【図２４】図２３に後続する搬送制御のフローチャートである。
【図２５】図２４に後続する搬送制御のフローチャートである。
【図２６】図２５に後続する搬送制御のフローチャートである。
【図２７】図２６に後続する搬送制御のフローチャートである。
【図２８】図２７に後続する搬送制御のフローチャートである。
【図２９】図２８に後続する搬送制御のフローチャートである。
【図３０】図２９に後続する搬送制御のフローチャートである。
【図３１】本発明の第３の実施の形態としての自動原稿搬送装置の断面図である。
【図３２】本発明の第３の実施の形態としての自動原稿搬送装置の制御系を示すブロック図である。
【図３３】本発明の第４の実施の形態としての自動原稿搬送装置の断面図である。
【図３４】本発明の第４の実施の形態としての頁切替え部の接続部を説明する図である。
【図３５】本発明の第４の実施の形態としての自動原稿搬送装置の制御系を示すブロック図である。
【図３６】本発明の第５の実施の形態としての自動原稿搬送装置の断面図である。
【図３７】本発明の第５の実施の形態としての頁切替え部の接続部を説明する図である。
【図３８】本発明の第５の実施の形態としての自動原稿搬送装置の制御系を示すブロック図である。
【図３９】本発明の第６の実施の形態としての操作部の画面遷移を説明する図である。
【符号の説明】
【０２８５】
２１  複写機（画像形成装置）
２３  ＡＤＦ（搬送手段）
２４  原稿テーブル（原稿載置台）
２５〜２７  原稿長さ検出センサ
３２  給紙ベルト
３３  リバースローラ
３６  プルアウトローラ対
３７  読取入口ローラ対
４０  読取出口ローラ対
４２  排紙ローラ
４３  排紙トレイ（原稿排紙台）
４４、１２１、１２４  切替爪
４５  反転ローラ対（挟持手段）
４６ａ  再給紙通路（退避通路、第２の反転給紙通路）
４６ｂ  再給紙通路（第２の反転給紙通路）
４９  反転センサ
５３  反転通路（反転給紙通路、第１の反転給紙通路、第２の反転給紙通路）
５５  退避台通路
５６  ベルト反転通路
５７  排紙通路
８１  画像読取装置（光学読取手段）
８３  感光体ドラム（画像形成手段）
８６  現像装置（画像形成手段）
８７  転写ベルト（画像形成手段）
８８  クリーニング装置（画像形成手段）
１００  コントローラ（搬送制御手段、読取制御手段）
１０２  給紙モータ
１０３  読取モータ
１０４  反転モータ
１１１  本体制御部（読取制御手段）
１２２  搬送ベルト
１２３ａ〜１２３ｇ  ベルトローラ
１２５  ベルトセンサ
８０１、８０１′、８０１″、８０４、８０５  頁切替え部（頁切替え手段）
８０１ａ  接触部（第２の通信手段）
８０１ｂ  通信制御部（第２の通信手段）
８０１ｃ  頁情報記憶部
８０２  電子媒体検出部（判別手段）
８０２ａ、８０２ｂ  端子
８０２ｃ  電流検出回路
８１０  退避テーブル（原稿退避台）
９００  電子ペーパー
９０２  ＩＣチップ（電子データ記憶手段、第１の通信手段、外部通信手段）
９０３  電子ペーパー記憶素子（電子データ記憶手段）
９０４  電子ペーパー表示器（画像表示手段）
９０５  電子ペーパードライバ（画像表示手段）
９０６  電源
９０７  接触部（導電部材、外部通信手段）
９０８  表示領域
Ｐ  原稿束
Ｓ１〜Ｓ５  転写紙（用紙、記録媒体）
【図１】
2008141590.tif 000003
【図２】
2008141590.tif 000004
【図３】
2008141590.tif 000005
【図４】
2008141590.tif 000006
【図５】
2008141590.tif 000007
【図６】
2008141590.tif 000008
【図７】
2008141590.tif 000009
【図８】
2008141590.tif 000010
【図９】
2008141590.tif 000011
【図１０】
2008141590.tif 000012
【図１１】
2008141590.tif 000013
【図１２】
2008141590.tif 000014
【図１３】
2008141590.tif 000015
【図１４】
2008141590.tif 000016
【図１５】
2008141590.tif 000017
【図１６】
2008141590.tif 000018
【図１７】
2008141590.tif 000019
【図１８】
2008141590.tif 000020
【図１９】
2008141590.tif 000021
【図２０】
2008141590.tif 000022
【図２１】
2008141590.tif 000023
【図２２】
2008141590.tif 000024
【図２３】
2008141590.tif 000025
【図２４】
2008141590.tif 000026
【図２５】
2008141590.tif 000027
【図２６】
2008141590.tif 000028
【図２７】
2008141590.tif 000029
【図２８】
2008141590.tif 000030
【図２９】
2008141590.tif 000031
【図３０】
2008141590.tif 000032
【図３１】
2008141590.tif 000033
【図３２】
2008141590.tif 000034
【図３３】
2008141590.tif 000035
【図３４】
2008141590.tif 000036
【図３５】
2008141590.tif 000037
【図３６】
2008141590.tif 000038
【図３７】
2008141590.tif 000039
【図３８】
2008141590.tif 000040
【図３９】
2008141590.tif 000041